(57)【要約】【課題】繰り出し不良の発生を抑制することが可能な紙幣処理機を提供する。【解決手段】機外から紙幣が投入される入金部２１と、入金部２１から紙幣を繰り出す繰出部２４と、繰出部２４で繰り出された紙幣を搬送する搬送部４１と、搬送部４１によって搬送される紙幣を識別する識別部２８と、識別部２８によって識別された紙幣を繰り出し可能に収納する繰出収納部３５と、繰出部２４から同一金種の新券紙幣が表裏および紙幣上下が同じ向きで所定枚数連続して繰り出されたか否かを判定し、該判定の結果に基づいて繰出部２４の停止を制御する制御手段１６と、を備える。【選択図】図１
2020181610.tif 000002
【特許請求の範囲】
【請求項１】
紙幣が装填される装填部と、
該装填部から紙幣を繰り出す繰出部と、
該繰出部で繰り出された紙幣を搬送する搬送部と、
該搬送部によって搬送される紙幣を識別する識別部と、
該識別部によって識別された紙幣の向きを変更可能な紙幣向き変更部と、
該紙幣向き変更部を通過後の紙幣を繰り出し可能に収納する繰出収納部と、
前記繰出部から同一金種の新券紙幣が表裏および紙幣上下が同じ向きで所定枚数連続して繰り出されたか否かを判定し、該判定の結果に基づいて、前記紙幣向き変更部を制御する制御手段と、を備えることを特徴とする紙幣処理機。
【請求項２】
前記制御手段は、前記識別部が、同一金種で表裏および紙幣上下が同じ向きの所定枚数連続する紙幣群を検出すると、前記繰出部から同一金種の新券紙幣が表裏および紙幣上下が同じ向きで所定枚数連続して繰り出されたと判定し、前記識別部が識別する前記紙幣群の後の紙幣が前記紙幣群と同一金種で表裏および紙幣上下が同じ向きの紙幣であると、前記紙幣向き変更部で当該紙幣の向きを変更する一方、前記後の紙幣が前記紙幣群と同一金種で向きが異なる紙幣である場合は、前記紙幣向き変更部で当該紙幣の向きを変更しないことを特徴とする請求項１記載の紙幣処理機。
【請求項３】
前記制御手段は、前記識別部が、同一金種で表裏および紙幣上下が同じ向きで記番号が連続する所定枚数の紙幣群を検出すると、前記繰出部から同一金種の新券紙幣が表裏および紙幣上下が同じ向きで所定枚数連続して繰り出されたと判定し、前記識別部が識別する前記紙幣群の後の紙幣が前記紙幣群と同一金種で表裏および紙幣上下が同じ向きの紙幣であると、前記紙幣向き変更部で当該紙幣の向きを変更する一方、前記後の紙幣が前記紙幣群と同一金種で向きが異なる紙幣である場合は、前記紙幣向き変更部で当該紙幣の向きを変更しないことを特徴とする請求項１記載の紙幣処理機。
【請求項４】
前記繰出部で繰り出す紙幣を計数する計数部と、
モードの選択設定が行われるモード選択設定手段と、を備え、
前記制御手段は、前記モード選択設定手段によって新券補充モードが設定された状態で、前記計数部が所定枚数の紙幣群を検出すると、前記繰出部から同一金種の新券紙幣が表裏および紙幣上下が同じ向きで所定枚数連続して繰り出されたと判定し、前記計数部が計数する前記紙幣群の後の紙幣の向きを前記紙幣向き変更部で変更することを特徴とする請求項１記載の紙幣処理機。
【請求項５】
前記繰出収納部から出金部に繰り出される紙幣の向きを変更可能な出金時向き変更部が設けられていることを特徴とする請求項１乃至４のいずれか一項記載の紙幣処理機。
【請求項６】
前記紙幣向き変更部が前記出金時向き変更部を兼用していることを特徴とする請求項５記載の紙幣処理機。
【発明の詳細な説明】
【技術分野】
【０００１】
本発明は、紙幣処理機に関する。
【背景技術】
【０００２】
入金された紙幣を収納し、また、収納した紙幣を出金することができ、さらに、収納したバラ紙幣を所定枚数で束化し、束紙幣として出金したり、装置内の各金種カセット内の紙幣の枚数などの在り高を確認する精査処理などを行うことができる紙幣入出金機がある（例えば、特許文献１参照）。さらには、束化した束紙幣を金種毎に収納して、収納した束紙幣を出金させることのできる紙幣入出金機もある。
【先行技術文献】
【特許文献】
【０００３】
【特許文献１】特開２０１３−２５０９１９号公報
【発明の概要】
【発明が解決しようとする課題】
【０００４】
このような紙幣入出金機においては、業務途中において、紙幣入出金機内の一部の金種の収納量が少なくなることがあり、そのような場合においては、当該一部の金種の紙幣を、入金口を通じて、装置に補充することがある。通常の多くの場合においては、流通券が補充紙幣として補充されることになり、入金処理と収納処理の二つの処理動作と同様の入金口補充処理を行うことによって、入金口にセットされた紙幣を金種別の金種カセットに補充する。
【０００５】
このとき、流通紙幣に代わって、官封券と呼ばれる、一度も市場で使用されていない新券紙幣の束から紙幣を補充することがある。ここで、官封券は、１００枚の新券紙幣がその表裏および紙幣上下の向きが一致した状態で帯封により結束されているため、帯封を解いて、そのまま入金口に投入すると、すべての紙幣が、その表裏および紙幣上下の向きが一致した状態で投入されることになる。このような官封券からの紙幣の補充は、１束の場合は問題を生じることはないが、例えば、同一金種で３束（３００枚）あるいは４束（４００枚）と言ったように、多量になると、表裏および紙幣上下の向きが一致した状態で積み重ねられた場合には、インクにより厚さの厚い部分が集積されるとともに、厚さの薄い部分が集積されて、金種によっては、その最上面の紙幣が、紙幣の表裏および上下の４方向の特定の方向において、わずかに傾斜することがある。金種カセット内において、このように最上面の紙幣が傾斜した状態になると、最上面の紙幣から紙幣を繰り出す際に繰り出し不良を生じる可能性がある。
【０００６】
本発明は、繰り出し不良の発生を抑制することが可能な紙幣処理機を提供することを目的とする。
【課題を解決するための手段】
【０００７】
本発明に係る第１の態様は、紙幣が装填される装填部と、該装填部から紙幣を繰り出す繰出部と、該繰出部で繰り出された紙幣を搬送する搬送部と、該搬送部によって搬送される紙幣を識別する識別部と、該識別部によって識別された紙幣の向きを変更可能な紙幣向き変更部と、該紙幣向き変更部を通過後の紙幣を繰り出し可能に収納する繰出収納部と、前記繰出部から同一金種の新券紙幣が表裏および紙幣上下が同じ向きで所定枚数連続して繰り出されたか否かを判定し、該判定の結果に基づいて、前記紙幣向き変更部を制御する制御手段と、を備えることを特徴とする。
【０００８】
上記第１の態様によれば、制御手段は、繰出部から同一金種の新券紙幣が表裏および紙幣上下が同じ向きで所定枚数連続して繰り出されたか否かを判定し、該判定の結果に基づいて、紙幣向き変更部を制御して、紙幣を繰出収納部に収納するため、繰出収納部に収納する紙幣の向きの変更が可能となり、繰り出し不良の発生を抑制することが可能となる。
【０００９】
本発明に係る第２の態様は、上記第１の態様において、前記制御手段は、前記識別部が、同一金種で表裏および紙幣上下が同じ向きの所定枚数連続する紙幣群を検出すると、前記繰出部から同一金種の新券紙幣が表裏および紙幣上下が同じ向きで所定枚数連続して繰り出されたと判定し、前記識別部が識別する前記紙幣群の後の紙幣が前記紙幣群と同一金種で表裏および紙幣上下が同じ向きの紙幣であると、前記紙幣向き変更部で当該紙幣の向きを変更する一方、前記後の紙幣が前記紙幣群と同一金種で向きが異なる紙幣である場合は、前記紙幣向き変更部で当該紙幣の向きを変更しないことを特徴とする。
【００１０】
上記第２の態様によれば、制御手段は、識別部が、同一金種で表裏および紙幣上下が同じ向きの所定枚数連続する紙幣群を検出すると、繰出部から同一金種の新券紙幣が表裏および紙幣上下が同じ向きで所定枚数連続して繰り出されたと判定することになり、識別部が識別する紙幣群の後の紙幣が紙幣群と同一金種で同じ向きの紙幣であると、紙幣向き変更部で当該紙幣の向きを変更する一方、後の紙幣が紙幣群と同一金種で向きが異なる紙幣である場合は、紙幣向き変更部で当該紙幣の向きを変更しない。よって、自動的かつ適正に、繰出収納部に収納する紙幣の向きを変更でき、繰り出し不良の発生を抑制することができる。
【００１１】
本発明に係る第３の態様は、上記第１の態様において、前記制御手段は、前記識別部が、同一金種で表裏および紙幣上下が同じ向きで記番号が連続する所定枚数の紙幣群を検出すると、前記繰出部から同一金種の新券紙幣が表裏および紙幣上下が同じ向きで所定枚数連続して繰り出されたと判定し、前記識別部が識別する前記紙幣群の後の紙幣が前記紙幣群と同一金種で表裏および紙幣上下が同じ向きの紙幣であると、前記紙幣向き変更部で当該紙幣の向きを変更する一方、前記後の紙幣が前記紙幣群と同一金種で向きが異なる紙幣である場合は、前記紙幣向き変更部で当該紙幣の向きを変更しないことを特徴とする。
【００１２】
上記第３の態様によれば、制御手段は、識別部が、同一金種で表裏および紙幣上下が同じ向きで記番号が連続する所定枚数の紙幣群を検出すると、繰出部から同一金種の新券紙幣が表裏および紙幣上下が同じ向きで所定枚数連続して繰り出されたと判定することになり、識別部が識別する紙幣群の後の紙幣が紙幣群と同一金種で表裏および紙幣上下が同じ向きの紙幣であると、紙幣向き変更部で当該紙幣の向きを変更する一方、前記後の紙幣が紙幣群と同一金種で向きが異なる紙幣である場合は、紙幣向き変更部で当該紙幣の向きを変更しない。よって、繰出部から同一金種の新券紙幣が表裏および紙幣上下が同じ向きで所定枚数連続して繰り出されたことを、より正確に判定することができる。
【００１３】
本発明に係る第４の態様は、上記第１の態様において、前記繰出部で繰り出す紙幣を計数する計数部と、モードの選択設定が行われるモード選択設定手段と、を備え、前記制御手段は、前記モード選択設定手段によって新券補充モードが設定された状態で、前記計数部が所定枚数の紙幣群を検出すると、前記繰出部から同一金種の新券紙幣が表裏および紙幣上下が同じ向きで所定枚数連続して繰り出されたと判定し、前記計数部が計数する前記紙幣群の後の紙幣の向きを前記紙幣向き変更部で変更することを特徴とする。
【００１４】
上記第４の態様によれば、制御手段は、モード選択設定手段によって新券補充モードが設定された状態で、計数部が所定枚数の紙幣群を検出すると、繰出部から同一金種の新券紙幣が表裏および紙幣上下が同じ向きで所定枚数連続して繰り出されたと判定し、計数部が計数する紙幣群の後の紙幣の向きを紙幣向き変更部で変更する。よって、操作者の選択設定に基づいて、自動的に、繰出収納部に収納する紙幣の向きを変更でき、繰り出し不良の発生を抑制することができる。
【００１５】
本発明に係る第５の態様は、上記第１乃至第４のいずれか一態様において、前記繰出収納部から出金部に繰り出される紙幣の向きを変更可能な出金時向き変更部が設けられていることを特徴とする。
【００１６】
上記第５の態様によれば、紙幣向き変更部で向きを変えて繰出収納部に収納された紙幣を、出金時向き変更部で向きを揃えて出金部に繰り出すことができる。
【００１７】
本発明に係る第６の態様は、上記第５の態様において、前記紙幣向き変更部が前記出金時向き変更部を兼用していることを特徴とする。
【００１８】
上記第６の態様によれば、紙幣向き変更部が出金時向き変更部を兼用しているため、部品点数およびコストを抑制することができる。
【発明の効果】
【００１９】
本発明によれば、繰り出し不良の発生を抑制することが可能な紙幣処理機を提供することができる。
【図面の簡単な説明】
【００２０】
【図１】本発明に係る第１実施形態の紙幣処理機を概略的に示す側断面図である。
【図２】紙幣の向きを説明する平面図である。
【図３】本発明に係る第１実施形態の紙幣処理機を概略的に示す側断面図であって、通常入金処理ルートおよび補充入金処理ルートを太線で示すものである。
【図４】本発明に係る第１実施形態の紙幣処理機を概略的に示す側断面図であって、通常収納処理ルートおよび補充収納処理ルートを太線で示すものである。
【図５】本発明に係る第１実施形態の紙幣処理機を概略的に示す側断面図であって、通常返却処理ルートを太線で示すものである。
【図６】本発明に係る第１実施形態の紙幣処理機を概略的に示す側断面図であって、バラ出金処理ルートを太線で示すものである。
【図７】本発明に係る第１実施形態の紙幣処理機を概略的に示す側断面図であって、束出金処理ルートを太線で示すものである。
【図８】紙幣収納カセットの最上面の紙幣の傾斜状態を説明する３面図である。
【図９】本発明に係る第１実施形態の紙幣処理機を概略的に示す側断面図であって、補充返却処理ルートを太線で示すものである。
【図１０】本発明に係る第３実施形態の紙幣処理機を概略的に示す側断面図である。
【図１１】本発明に係る第３実施形態の紙幣処理機を概略的に示す側断面図であって、入出金部補充入金処理ルートを太線で示すものである。
【図１２】本発明に係る第３実施形態の紙幣処理機を概略的に示す側断面図であって、カセット補充処理ルートを太線で示すものである。
【発明を実施するための形態】
【００２１】
＜第１実施形態＞
本発明に係る第１実施形態の紙幣処理機を図１〜図９を参照して以下に説明する。図１に示す本実施形態の紙幣処理機１１は、紙幣についての入出金処理等を行うものである。
【００２２】
第１実施形態の紙幣処理機１１は、その前面側の上部に入出金部２１（入金部，出金部）が設けられている。入出金部２１は、開閉可能なシャッタ２０を有しており、シャッタ２０が開状態とされて機外からバラ紙幣が投入され、その後、シャッタ２０が閉じられて紙幣を機内に繰り出す。また、入出金部２１は、シャッタ２０が閉状態とされて機内から出金用のバラ紙幣が繰り出され、その後、シャッタ２０が開かれることでバラ紙幣が機外に取り出される。
【００２３】
入出金部２１は、その底部を構成する載置板２２が後下がりに傾斜した姿勢で昇降可能に設けられており、その奥側の支承面２３が載置板２２と直交するように後上がりに傾斜して設けられている。入出金部２１には、機体前面側から見て紙幣が左右方向に長さ方向を沿わせた姿勢で載置板２２上に後上がりに上下に集積されることになり、紙幣は載置板２２の傾斜により後端縁が支承面２３に当接する。入出金部２１の上部には、入出金部２１の載置板２２上に集積されたバラ紙幣を上端のものから一枚ずつ分離し所定の間隔をあけて機内へ繰り出すとともに機内からの紙幣を入出金部２１に繰り出す入出金繰出部２４（繰出部）が設けられている。入出金部２１には、載置板２２上の紙幣の有無を検知する紙幣検知センサ１９と、入出金繰出部２４で繰り出す紙幣を検知して計数する繰出検知センサ２５（計数部）とが設けられている。紙幣は、紙幣処理機１１内で、基本的にその短手方向を搬送方向に沿わせた姿勢で搬送される。
【００２４】
入出金部２１から紙幣を繰り出す入出金繰出部２４は、載置板２２上に集積された紙幣のうちの最も上側の紙幣の短手方向の中間部に当接して、これを機内側に蹴り出す蹴出ローラ２４ａと、蹴出ローラ２４ａで蹴り出された紙幣を機内に繰り出す繰出ローラ２４ｂと、繰出ローラ２４ｂで機内に繰り出す紙幣を一枚ずつに分離する分離ローラ２４ｃとを有している。繰出検知センサ２５による紙幣の検知に基づいて入出金繰出部２４を停止させると、当該紙幣の次の紙幣は入出金繰出部２４で繰り出されることなく入出金部２１内の載置板２２上に留まる。
【００２５】
入出金部２１の下側には、紙幣処理機１１の前面位置に、受け付け不可と判定された入金リジェクト紙幣が機内から繰り出される入金リジェクト部２６が設けられている。入出金部２１および入金リジェクト部２６の後側には、出金不可と判定された出金リジェクト紙幣を収納する出金リジェクト部２７が設けられており、出金リジェクト部２７の後方の下部には紙幣を識別する識別部２８が設けられている。識別部２８は、紙幣の金種、表裏、紙幣上下および紙幣左右等を識別する。
【００２６】
また、出金リジェクト部２７の後方の上部には紙幣を整列させて所定の結束枚数集積させる整列部３０が設けられており、この整列部３０の上部には、整列部３０で集積された結束枚数の紙幣に結束テープを巻き回して小束紙幣とする結束部３１が設けられている。この結束部３１の前側には結束部３１で作成された小束紙幣を機外に取り出し可能に繰り出す束出金部３２が設けられている。
【００２７】
また、紙幣処理機１１の下部には、複数具体的には５個の同様の構造の紙幣収納カセット３５（繰出収納部）が、上下左右の位置を合わせて水平直線状の紙幣収納カセット配列方向に配列されている。この紙幣収納カセット配列方向は、紙幣処理機１１の前後方向となっている。最も奥側に配置された紙幣収納カセット３５（Ａ）、奥から２番目に配置された紙幣収納カセット３５（Ｂ）および奥から３番目に配置された紙幣収納カセット３５（Ｃ）は、いずれも入金確定後の所定の単一金種のバラ紙幣を上下に集積させた状態で収納するものであり、前から２番目に配置された紙幣収納カセット３５（Ｄ）は、入金確定後のバラ紙幣を金種混合で上下に集積させた状態で収納するものである。
【００２８】
紙幣収納カセット３５（Ａ）は、所定の第１の単一金種の紙幣（例えば万円券）を、紙幣収納カセット３５（Ｂ）は、所定の第２の単一金種の紙幣（例えば五千円券）を、紙幣収納カセット３５（Ｃ）は、所定の第３の単一金種の紙幣（例えば千円券）を、紙幣収納カセット３５（Ｄ）は、所定の第４の単一金種の紙幣（例えば二千円券）および紙幣収納カセット３５（Ａ）〜３５（Ｃ）で収納しきれないオーバーフロー紙幣を、それぞれ収納する。最も前側に配置された紙幣収納カセット３５（Ｅ）は、入金された入金確定前のバラ紙幣を上下に集積させた状態で一時貯留するプールカセットである。
【００２９】
紙幣収納カセット３５（Ａ）〜３５（Ｅ）のそれぞれの上部には、それぞれの内部に紙幣を繰り出すとともに内部の紙幣を最上面の紙幣から一枚ずつ分離して所定の間隔をあけて繰り出す繰出部３６と、繰出部３６で繰り出す紙幣を検知して計数する繰出検知センサ３７とが設けられている。紙幣収納カセット３５（Ａ）〜３５（Ｅ）は、それぞれが、繰出部３６によって紙幣を繰り出し可能に収納する。紙幣収納カセット３５（Ａ）〜３５（Ｅ）は、それぞれが、繰出検知センサ３７で紙幣を検知した時点で繰出部３６を停止させると、当該紙幣の次の紙幣は繰出部３６で繰り出されることなく内部に留める。繰出検知センサ３７は繰出部３６の駆動中に紙幣の停滞を検知することでジャム等の繰り出し異常も検知する。
【００３０】
紙幣収納カセット３５（Ａ）〜３５（Ｅ）のそれぞれの内部には、繰出部３６から紙幣収納カセット３５内に繰り出された紙幣を上下方向に集積させる昇降可能なエレベータ３８が設けられている。繰出部３６は、エレベータ３８上に集積された紙幣のうちの最も上側の紙幣すなわち最上面の紙幣の短手方向の中間部に当接して、これを蹴り出す蹴出ローラ３６ａと、蹴出ローラ３６ａで蹴り出された紙幣を繰り出す繰出ローラ３６ｂと、繰出ローラ３６ｂで繰り出す紙幣を一枚ずつに分離する分離ローラ３６ｃとを有している。
【００３１】
紙幣処理機１１は、装置主体部４５と、装置主体部４５から紙幣処理機１１の前後方向に沿って前面側に引き出し可能な引出体４６とを有しており、引出体４６に対し、複数具体的には５個の紙幣収納カセット３５（Ａ）〜３５（Ｅ）が、個別に着脱可能となっている。紙幣収納カセット３５（Ａ）〜３５（Ｅ）は、引出体４６が装置主体部４５から引き出された状態で、引出体４６に対し着脱される。
【００３２】
紙幣処理機１１の内部には、入出金部２１から入出金繰出部２４で繰り出された紙幣を含んで紙幣を搬送する搬送部４１が各部を適宜繋ぐように設けられている。搬送部４１は、紙幣を、基本的にその短手方向を搬送方向に沿わせた姿勢で紙幣処理機１１内で移動させる。搬送部４１は、入出金繰出部２４から後上がりに延出した後、後下がりに延出し、さらに鉛直下方に延出し、その後、前側に一端延出した後、下側にて後向きに折り返して後方に延出し、途中上側に凸状に屈曲した後、識別部２８を通り、下側にて前向きに折り返して前方に延出し紙幣処理機１１の前端から下方に若干延出する搬送路４１Ａと、搬送路４１Ａに連続するように最も前側に配置された紙幣収納カセット３５（Ｅ）に設けられた搬送路４１Ｃとを有している。識別部２８は、搬送部４１によって搬送される紙幣を識別することになり、紙幣収納カセット３５（Ａ）〜３５（Ｅ）は、識別部２８によって識別された紙幣を繰り出し可能に収納する。
【００３３】
また、搬送部４１は、搬送路４１Ａの下部の途中から分岐する搬送路４１Ｄと、搬送路４１Ｄに連続するように最も奥側に配置された紙幣収納カセット３５（Ａ）に設けられた搬送路４１Ｅと、搬送路４１Ａの搬送路４１Ｄよりも紙幣収納カセット３５（Ｅ）側から分岐する搬送路４１Ｆと、搬送路４１Ｆに連続するように奥から２番目に配置された紙幣収納カセット３５（Ｂ）に設けられた搬送路４１Ｇと、搬送路４１Ａの搬送路４１Ｆよりも紙幣収納カセット３５（Ｅ）側から分岐する搬送路４１Ｈと、搬送路４１Ｈに連続するように奥から３番目に配置された紙幣収納カセット３５（Ｃ）に設けられた搬送路４１Ｉと、搬送路４１Ａの搬送路４１Ｈよりも紙幣収納カセット３５（Ｅ）側から分岐する搬送路４１Ｊと、搬送路４１Ｊに連続するように前から２番目に配置された紙幣収納カセット３５（Ｄ）に設けられた搬送路４１Ｋと、搬送路４１Ａの搬送路４１Ｊの分岐位置と紙幣収納カセット３５（Ｅ）との間から分岐して上方に延出した後に後方に延出して搬送路４１Ａの入出金部２１と識別部２８との間に繋がる搬送路４１Ｌとを有している。
【００３４】
また、搬送部４１は、搬送路４１Ａの搬送路４１Ｊの分岐位置と搬送路４１Ｌの分岐位置との間位置から分岐して上方に延出し搬送路４１Ｌの途中位置に繋がる搬送路４１Ｎと、搬送路４１Ｌにおける搬送路４１Ｎの接続位置と搬送路４１Ａへの接続位置との間位置から分岐して入金リジェクト部２６に繋がる搬送路４１Ｐと、搬送路４１Ａにおける搬送路４１Ｌの接続位置と入出金部２１との間位置から分岐し前方に延出して搬送路４１Ｐの途中位置に繋がる搬送路４１Ｑと、搬送路４１Ｐにおける搬送路４１Ｑの接続位置と入金リジェクト部２６との間位置から上方に分岐し後上がりに延出して出金リジェクト部２７に繋がる搬送路４１Ｒとを有している。
【００３５】
また、搬送部４１は、搬送路４１Ａにおける入出金部２１と搬送路４１Ｑの分岐位置との間と、搬送路４１Ａにおける搬送路４１Ｌの接続位置と識別部２８との間とを繋ぐ搬送路４１Ｓと、搬送路４１Ａにおける搬送路４１Ｓの接続位置と入出金部２１との間位置から後方に分岐して整列部３０に繋がる搬送路４１Ｔとを有している。搬送路４１Ｓには、紙幣の表裏を反転させる表裏反転部４３が設けられている。
【００３６】
搬送路４１Ｓは、搬送路４１Ａにおける並列区間部４１Ｕと並列に配置されており、この並列区間部４１Ｕと搬送路４１Ｓと搬送路４１Ｓに設けられた表裏反転部４３とが、紙幣収納カセット３５（Ａ）〜３５（Ｅ）から識別部２８を通って入出金部２１に繰り出される紙幣の向きを変更可能な紙幣向き変更部４４（出金時向き変更部）を構成している。紙幣向き変更部４４は、識別部２８と入出金部２１との間にある構成に留まらず、特開２０１５−０２２７０９号公報に示されるように、入出金部２１に隣接して設けられる構成であっても良い。
【００３７】
紙幣向き変更部４４は、紙幣収納カセット３５（Ａ）〜３５（Ｅ）から識別部２８を通って入出金部２１に繰り出される紙幣を、並列区間部４１Ｕで搬送すると、向きを変更することなくそのまま搬送することになり、搬送路４１Ｓで搬送すると、表裏反転部４３で向きを変更する。具体的には、紙幣の長手方向すなわち紙幣左右の向きはそのままで、表裏を反転し、よって搬送方向に対し、紙幣上下を反転する。
【００３８】
ここで、図２に示すように、紙幣Ｓの人物像Ｊが描かれた面が表面Ｈ、その裏が裏面Ｒ、紙幣Ｓの短手方向における人物像Ｊの頭側が紙幣上側、紙幣人物像の胴体側が紙幣下側、紙幣Ｓの長手方向における人物像Ｊ側が紙幣右側、その反対側が紙幣左側である。
【００３９】
表裏反転部４３は、その入口側（識別部２８側）で、図２（ａ）に示すように、鉛直方向上側が表面Ｈで、搬送方向先側が紙幣上側の向きで表裏反転部４３に向け矢印Ｘで示す方向に搬送されていた紙幣Ｓを、その出口側（識別部２８とは反対側）で、図２（ｂ）に示すように、紙幣左右の向きはそのまま、鉛直方向上側が裏面Ｒで、搬送方向先側が紙幣下側の向きで表裏反転部４３から離れる方向に向け矢印Ｘで示す方向に搬送する。
【００４０】
同様に、表裏反転部４３は、その入口側で、図２（ｂ）に示すように、鉛直方向上側が裏面Ｒで搬送方向先側が紙幣下側の向きで表裏反転部４３に向け矢印Ｘで示す方向に搬送されていた紙幣Ｓを、その出口側で、図２（ａ）に示すように、紙幣左右の向きはそのまま、鉛直方向上側が表面Ｈで搬送方向先側が紙幣上側の向きで表裏反転部４３から離れる方向に向け矢印Ｘで示す方向に搬送する。
【００４１】
同様に、表裏反転部４３は、その入口側で、図２（ｃ）に示すように、鉛直方向上側が表面Ｈで搬送方向先側が紙幣下側の向きで表裏反転部４３に向け矢印Ｘで示す方向に搬送されていた紙幣を、その出口側で、図２（ｄ）に示すように、紙幣左右の向きはそのまま、鉛直方向上側が裏面Ｒで搬送方向先側が紙幣上側の向きで表裏反転部４３から離れる方向に向け矢印Ｘで示す方向に搬送する。
【００４２】
同様に、表裏反転部４３は、その入口側で、図２（ｄ）に示すように、鉛直方向上側が裏面Ｒで搬送方向先側が紙幣上側の向きで表裏反転部４３に向け矢印Ｘで示す方向に搬送されていた紙幣を、その出口側で、図２（ｃ）に示すように、紙幣左右の向きはそのまま、鉛直方向上側が表面Ｈで搬送方向先側が紙幣下側の向きで表裏反転部４３から離れる方向に向け矢印Ｘで示す方向に搬送する。
【００４３】
言い換えれば、表裏反転部４３は、短手方向に沿って搬送されて入口から進入する紙幣を、その紙幣左右方向に沿う軸を中心に１８０°回転させることにより表裏を反転させた後、出口から短手方向に沿って繰り出す。
【００４４】
図１に示すように、紙幣処理機１１は、操作者によって操作入力がなされるとともに操作者に対して表示を行う操作表示部１５（報知手段，モード選択設定手段）と、紙幣処理機１１の全体を制御する制御部１６（制御手段）とを有している。
【００４５】
［通常入金処理］
図３の太線は、機外から入出金部２１に投入されたバラ紙幣を搬送しつつ識別計数して一時貯留する通常入金処理のルートを示している。つまり、操作表示部１５に通常入金処理の選択操作がなされると、制御部１６は、シャッタ２０を開き、その後、入出金部２１の載置板２２上にバラ紙幣が載置されたことを紙幣検知センサ１９で検知して、操作表示部１５に通常入金処理の実行操作がなされると、シャッタ２０を閉じ、載置板２２を上昇させて、入出金繰出部２４の蹴出ローラ２４ａに最上面の紙幣を当接させることになる。その後、入出金繰出部２４が載置板２２上の紙幣を最上面の紙幣から順に、蹴出ローラ２４ａで蹴り出し繰出ローラ２４ｂおよび分離ローラ２４ｃで一枚ずつに分離しつつ所定の間隔をあけて繰り出すことになり、繰り出した紙幣を、搬送路４１Ａで搬送することになる。搬送路４１Ａでの搬送中に識別部２８が紙幣を識別計数することになり、識別部２８で受け入れ可能と判定した紙幣（取り扱い可能な金種の紙幣）を、図３に太実線で示すように、搬送路４１Ａ，４１Ｃで最も前側に配置された紙幣収納カセット３５（Ｅ）に搬送する一方、識別部２８で受け入れ不可と判定した紙幣を、図３に太破線で示すように、搬送路４１Ａから搬送路４１Ｎ，４１Ｌ，４１Ｐで入金リジェクト部２６に搬送する。これにより、受け入れ可能な紙幣を最も前側に配置された紙幣収納カセット３５（Ｅ）に一時貯留し、受け入れ不可な紙幣を入金リジェクト部２６に放出する。
【００４６】
そして、入出金部２１の紙幣がなくなったことが紙幣検知センサ１９で検知され、入出金部２１から繰り出されたすべての紙幣が、紙幣収納カセット３５（Ｅ）および入金リジェクト部２６のいずれかに搬送されると、制御部１６は、識別部２８で受け入れ可能と判定して紙幣収納カセット３５（Ｅ）に一時貯留した紙幣の金種別の枚数および総額等を操作表示部１５に表示させて、操作表示部１５への承認操作およびキャンセル操作の入力を待機する。
【００４７】
［通常収納処理］
図４の太線は、通常入金処理にて最も前側に配置された紙幣収納カセット３５（Ｅ）に一時貯留した紙幣を、操作表示部１５への承認操作が入力されたことを条件に、確定して、奥から１番目〜４番目に配置された紙幣収納カセット３５（Ａ）〜３５（Ｄ）の対応するものに収納する通常収納処理のルートを示している。つまり、最も前側に配置された紙幣収納カセット３５（Ｅ）の紙幣を最上面の紙幣からその繰出部３６が、蹴出ローラ３６ａで蹴り出し繰出ローラ３６ｂおよび分離ローラ３６ｃで一枚ずつに分離しつつ所定の間隔をあけて繰り出すことになり、繰り出した紙幣を、図４に太実線で示すように、搬送路４１Ｃ，４１Ａ，４１Ｌ，４１Ａで識別部２８に搬送し、識別部２８の識別結果に基づいて、搬送路４１Ａ，４１Ｄ〜４１Ｋの対応するものによって、奥から１番目〜４番目に配置された紙幣収納カセット３５（Ａ）〜３５（Ｄ）の対応するものに搬送する。これにより、紙幣収納カセット３５（Ｅ）に一時貯留した紙幣を、紙幣収納カセット３５（Ａ）〜３５（Ｄ）の対応するものに収納する。なお、通常収納処理にて識別部２８で重送等と識別した紙幣については、図４に太破線で示すように、搬送路４１Ａ，４１Ｎ，４１Ｌ，４１Ｐ，４１Ｒによって出金リジェクト部２７に搬送し、出金リジェクト部２７に収納する。ここで、搬送路４１Ｌにおいて、紙幣収納カセット３５（Ｅ）から識別部２８に向かう紙幣と、識別部２８から出金リジェクト部２７に向かう紙幣とが重なるタイミングのときは、紙幣収納カセット３５（Ｅ）からの紙幣を繰り出しを一時停止させて、出金リジェクト部２７に向かう紙幣を優先して搬送する。
【００４８】
［通常返却処理］
図５の太線は、通常入金処理にて最も前側に配置された紙幣収納カセット３５（Ｅ）に一時貯留した紙幣を、操作表示部１５へのキャンセル操作が入力されたことを条件に、入出金部２１に繰り出す通常返却処理のルートを示している。つまり、最も前側に配置された紙幣収納カセット３５（Ｅ）の紙幣を最上面の紙幣から繰出部３６が、蹴出ローラ３６ａで蹴り出し繰出ローラ３６ｂおよび分離ローラ３６ｃで一枚ずつに分離しつつ所定の間隔をあけて繰り出すことになり、繰り出した紙幣を、搬送路４１Ｃ，４１Ａによって入出金部２１に搬送する。これにより、入出金部２１に紙幣を返却する。
【００４９】
［バラ紙幣出金処理］
図６の太線は、操作表示部１５へ入力されたバラ出金操作に基づいて、最も奥側に配置された紙幣収納カセット３５（Ａ）、奥から２番目に配置された紙幣収納カセット３５（Ｂ）および奥から３番目に配置された紙幣収納カセット３５（Ｃ）の指定された金種のものから紙幣を出金するバラ紙幣出金処理のルートを示している。つまり、バラ出金処理では、図６に太実線で示すように、奥から１番目〜３番目に配置された紙幣収納カセット３５（Ａ）〜３５（Ｃ）の指定された金種のものに収納されている紙幣を最上面の紙幣から繰出部３６が、蹴出ローラ３６ａで蹴り出し繰出ローラ３６ｂおよび分離ローラ３６ｃで一枚ずつに分離しつつ所定の間隔をあけて繰り出すことになり、繰り出した紙幣を、搬送路４１Ｄ〜４１Ｉの対応するものと、搬送路４１Ａとで識別部２８に搬送し、識別部２８の識別結果に基づいて、表裏反転が必要でないものは紙幣向き変更部４４の並列区間部４１Ｕを含む搬送路４１Ａで入出金部２１に、表裏反転が必要なものは紙幣向き変更部４４の搬送路４１Ｓを介して表裏反転部４３で表裏反転させた後、搬送路４１Ａで入出金部２１に、それぞれ搬送する。これにより、出金操作に基づくバラ紙幣を入出金部２１に表裏を取り揃えながら繰り出す。なお、出金処理にて識別部２８で重送等と識別した紙幣については、図６に太破線で示すように、搬送路４１Ａから、搬送路４１Ｑ，４１Ｐ，４１Ｒによって出金リジェクト部２７に搬送し、出金リジェクト部２７に収納する。
【００５０】
［束出金処理］
図７の太線は、操作表示部１５へ入力された束出金操作に基づいて、奥から１番目〜３番目に配置された紙幣収納カセット３５（Ａ）〜３５（Ｃ）の指定された金種のものからの紙幣を結束して出金する束出金処理のルートを示している。つまり、束出金処理では、図７に太実線で示すように、奥から１番目〜３番目に配置された紙幣収納カセット３５（Ａ）〜３５（Ｃ）のうち指定された金種のものに収納されている紙幣を最上面の紙幣から繰出部３６が、蹴出ローラ３６ａで蹴り出し繰出ローラ３６ｂおよび分離ローラ３６ｃで一枚ずつに分離しつつ所定の間隔をあけて繰り出すことになり、繰り出した紙幣を、搬送路４１Ｄ〜４１Ｉの対応するものと、搬送路４１Ａとで識別部２８に搬送し、識別部２８の識別結果に基づいて、表裏反転が必要でないものは紙幣向き変更部４４の並列区間部４１Ｕを含む搬送路４１Ａと搬送路４１Ｔとで整列部３０に、表裏反転が必要なものは紙幣向き変更部４４の搬送路４１Ｓを介して表裏反転部４３で表裏反転させた後、搬送路４１Ａ，４１Ｔで整列部３０に、それぞれ搬送する。これにより、指定された単一金種の紙幣を結束単位枚数だけ整列部３０に繰り出す。そして、結束部３１で結束を行い、束出金部３２に繰り出す。このような処理を指定された金種毎に指定された束数分行うことになる。なお、束出金処理にて識別部２８で重送等と識別した紙幣については、図７に太破線で示すように、搬送路４１Ａから、搬送路４１Ｑ，４１Ｐ，４１Ｒによって出金リジェクト部２７に搬送し、出金リジェクト部２７に収納する。
【００５１】
［補充入金処理］
ここで、通常入金処理後の通常収納処理で紙幣を収納し、バラ紙幣出金処理および束出金処理で収納している紙幣を繰り出す、奥から１番目〜３番目に配置された紙幣収納カセット３５（Ａ）〜３５（Ｃ）においては、紙幣の収納量が所定のニアエンド値よりも少なくなることがある。そのような場合に、紙幣処理機１１は、入出金部補充モードが選択設定されることによって補充入金処理を行う。すなわち、紙幣処理機１１は、操作表示部１５に入出金部補充モードが選択設定されることによって、補充用として入出金部２１に投入された対応金種の紙幣を通常入金処理と一部異なる補充入金処理と、通常収納処理と同様の補充収納処理または通常返却処理と一部異なる補充返却処理とを行って、紙幣収納カセット３５（Ｅ）に一時貯留後、紙幣収納カセット３５（Ａ）〜３５（Ｄ）に補充し、または入出金部２１に返却することになる。
【００５２】
補充入金処理は、図３に太線で示す通常入金処理ルートと同様の補充入金処理ルートで紙幣を移動させることになる。ここで、入出金部補充モードでの補充入金処理において、補充用紙幣として官封券の帯封が解かれた状態の新券紙幣が使用される場合がある。この場合に、新券紙幣が、同一金種で例えば３束（３００枚）、４束（４００枚）と言ったように多量に補充されると、紙幣表裏および紙幣上下の向きが一致した状態で、紙幣収納カセット３５（Ｅ）のエレベータ３８上に積み重ねられたり、紙幣収納カセット３５（Ｅ）から繰り出されて紙幣収納カセット３５（Ａ）〜３５（Ｄ）のエレベータ３８上に積み重ねられたりすることがある。すると、各紙幣のインクにより厚さの厚い部分が集積され、厚さの薄い部分が集積されて、積み重ねられた状態の紙幣の最上面の紙幣に傾斜を生じてしまうことがある。
【００５３】
例えば、特定金種の新券紙幣においては、紙幣上側と紙幣下側とにおいて、その積み上げ高さに違いが出て、積み上げられた紙幣のうちの最上面の紙幣の紙幣上側と紙幣下側、すなわち、紙幣の短手方向において、一側が高く逆側が低くなるように傾斜することがある。このような傾斜を生じる特定金種をＡタイプ金種とする。Ａタイプ金種としては、万円券および千円券があり、万円券の場合、紙幣上側の方が紙幣下側よりも高くなり、千円券の場合、紙幣下側の方が紙幣上側よりも高くなる。
【００５４】
また、例えば、他の特定金種の新券紙幣においては、紙幣左側と紙幣右側において、その積み上げ高さに違いが出て、積み上げられた紙幣のうちの最上面の紙幣の紙幣左側と紙幣右側、すなわち、紙幣の長手方向において、一側が高く逆側が低くなるように傾斜することがある。このような傾斜を生じる特定金種をＢタイプ金種とする。Ｂタイプ金種としては、５千円券があり、５千円券の場合、人物像側の方が反対側よりも高くなる。
【００５５】
これらＡタイプ金種およびＢタイプ金種のように、積み上げられた状態で最上面の紙幣が傾斜した状態になると、最上面の紙幣から順に紙幣を繰り出す繰出部３６において、繰り出し不良を生じる可能性がある。すなわち、繰出部３６は、鉛直方向に積み上げられた紙幣を最上面の紙幣から繰り出す機構であり、積み重ねられた状態の紙幣は、最上面の紙幣の短手方向の中央部分が蹴出ローラ３６ａに当接し、蹴出ローラ３６ａによって蹴り出された後、蹴り出し方向前方にある繰出ローラ３６ｂと分離ローラ３６ｃとによって構成された分離繰出機構によって一枚ずつに分離して繰り出されることになる。このような構成の繰出部３６に対して、最上面の紙幣が傾斜していると、繰出ローラ３６ｂと分離ローラ３６ｃとからなる分離繰出機構に向けた正しい集積状態とならずに、あるいは、蹴出ローラ３６ａに正しく接触できなかったりして、正常な分離繰り出しができないと言った繰り出し不良を発生する可能性がある。
【００５６】
例えば、紙幣収納カセット３５（Ａ）〜３５（Ｅ）において、図８（ａ）の３面図に示すように、Ａタイプ金種である万円券の紙幣を鉛直上側に表面Ｈを向け、紙幣下側を繰出ローラ３６ｂおよび分離ローラ３６ｃ側に向けた状態で集積させると、最上面の紙幣Ｓ１が、蹴出ローラ３６ａ側が高く繰出ローラ３６ｂおよび分離ローラ３６ｃ側が低くなる。このような状態になると、蹴出ローラ３６ａで蹴り出された紙幣Ｓ１は、繰出ローラ３６ｂおよび分離ローラ３６ｃに先端が向かわず、繰出ローラ３６ｂおよび分離ローラ３６ｃで繰り出せなかったり、繰り出せても斜行等の搬送不良を生じてしまう可能性がある。
【００５７】
また、図８（ｂ）の３面図に示すように、Ｂタイプ金種の紙幣である五千円券の紙幣を鉛直上側に表面Ｈを向け、紙幣下側を繰出ローラ３６ｂおよび分離ローラ３６ｃ側に向けた状態で集積させると、最上面の紙幣Ｓ１が、紙幣左右方向において人物像Ｊ側が反対側よりも高くなる。このような状態になると、蹴出ローラ３６ａで蹴り出された紙幣Ｓ１は、繰出ローラ３６ｂおよび分離ローラ３６ｃに先端が部分的に向かわず、繰出ローラ３６ｂおよび分離ローラ３６ｃで繰り出せなかったり、繰り出せても斜行等の搬送不良を生じてしまう可能性がある。
【００５８】
また、図８（ｃ）の３面図に示すように、Ａタイプ金種である千円券の紙幣を鉛直上側に表面Ｈを向け、紙幣下側を繰出ローラ３６ｂおよび分離ローラ３６ｃ側に向けた状態で集積させると、最上面の紙幣Ｓ１が、蹴出ローラ３６ａ側が低く繰出ローラ３６ｂおよび分離ローラ３６ｃ側が高くなる。このような状態になると、蹴出ローラ３６ａが空回りして紙幣Ｓ１を良好に蹴り出すことができず、繰出ローラ３６ｂおよび分離ローラ３６ｃで紙幣Ｓ１を繰り出せなかったり、繰り出せても斜行等の搬送不良を生じてしまう可能性がある。
【００５９】
このため、第１実施形態の紙幣処理機１１では、制御部１６が、入出金部補充モードで行われる補充入金処理中に、入出金部２１の入出金繰出部２４から、同一金種の新券紙幣が表裏および紙幣上下が同じ向きで所定枚数連続して繰り出されたか否かを所定の基準で判定し、該判定の結果に基づいて入出金繰出部２４の停止を制御して、紙幣の向きを変えさせることにより、紙幣収納カセット３５（Ａ）〜３５（Ｅ）において、最上面の紙幣Ｓ１の傾斜を抑制する傾斜抑制案内制御を行う。
【００６０】
制御部１６は、識別部２８が、Ａタイプ金種およびＢタイプ金種のうちの一方の同一金種で表裏および紙幣上下が同じ向きの所定枚数連続する紙幣群（以下、これを便宜上、判定用紙幣と称す。）を検出すると、入出金部２１の入出金繰出部２４から、Ａタイプ金種およびＢタイプ金種のうちの一方の同一金種の新券紙幣が表裏および紙幣上下が同じ向きで所定枚数連続して繰り出されたと判定する。すると、制御部１６は、入出金部２１の入出金繰出部２４を停止させるとともに、入出金部２１の紙幣の向きの確認または変更を促すガイダンスを含む報知を操作表示部１５に行わせる。
【００６１】
ここで、制御部１６は、入出金部２１の直後に設けられた繰出検知センサ２５と識別部２８で検知された紙幣との対応関係、すなわち識別部２８で検知された紙幣が繰出検知センサ２５で検知されたどの紙幣であるかを把握している。そして、制御部１６は、より具体的には、識別部２８が、Ａタイプ金種およびＢタイプ金種のうちの一方の同一金種で表裏および紙幣上下が同じ向きの第１の所定枚数である８０枚連続する判定用紙幣を検出すると、入出金部２１の入出金繰出部２４からＡタイプ金種およびＢタイプ金種のうちの一方の同一金種の新券紙幣が表裏および紙幣上下が同じ向きで第１の所定枚数である８０枚連続して繰り出されたと判定する。すると、その後、入出金部２１の直後に設けられた繰出検知センサ２５で、上記判定用紙幣の１枚目から数えて、第２の所定枚数である１００枚の紙幣を計数すると、入出金部２１の入出金繰出部２４を停止させる。勿論、識別部２８で、同一金種で表裏および紙幣上下が同じ向きの第１の所定枚数である８０枚連続する判定用紙幣を検出しなければ、入出金部２１の入出金繰出部２４を停止させることはなく、紙幣の金種や向きが変わる度に、判定用紙幣を１枚目から計数し直しながら、繰り出しを継続させる。なお、同一金種で表裏および紙幣上下が同じ向きの紙幣を第１の所定枚数である８０枚連続して検出することで、これらの紙幣群を新券紙幣であると判断するようにしたが、これに限るものではなく、第１の所定枚数は８０枚未満であっても、また、８０枚超であっても良い。加えて、第２の所定枚数である１００枚の紙幣を計数すると、入出金部２１の入出金繰出部２４を停止させるようにしたが、これに限るものではなく、第２の所定枚数は１００枚未満であっても、また、１００枚超であっても良く、少なくとも、第１の所定枚数よりも第２の所定枚数の方が多い枚数であれば良い。
【００６２】
上記のように繰出検知センサ２５で第２の所定枚数である１００枚の紙幣を計数する間、および計数した上での入出金繰出部２４の停止後において、それまでに入出金部２１から繰り出された紙幣のうち、識別部２８で受け入れ可能と判定した紙幣を、図３に太実線で示すように紙幣収納カセット３５（Ｅ）に収納する一方、識別部２８で受け入れ不可と判定した紙幣を、図３に太破線で示すように入金リジェクト部２６に放出する。識別部２８で受け入れ不可と判定した紙幣については、第２の所定枚数である１００枚の紙幣に含めずに除外し、その分の紙幣だけを入出金部２１から入出金繰出部２４で追加で繰り出させる。これにより、８０枚の判定用紙幣を含むこの判定用紙幣の１枚目から数えて１００枚目までの受け入れ可能な紙幣を紙幣収納カセット３５（Ｅ）に収納し、それ以降の紙幣を入出金部２１に残すことになる。
【００６３】
そして、制御部１６は、上記８０枚の判定用紙幣を含むこの判定用紙幣の１枚目から数えて１００枚目までの受け入れ可能な紙幣を識別部２８で確認すると、その時点では、入出金繰出部２４が停止させられている入出金繰出部２４について、シャッタ２０を開きつつ載置板２２を下げて、入出金部２１の最上位置の紙幣を、蹴出ローラ２４ａから離し、紙幣を再セットしやすい状態とする。それとともに、制御部１６は、官封券の帯封を解いた新券の補充と判断したので入出金部２１の紙幣の向きの確認または変更を促すガイダンスを含む報知を操作表示部１５に行わせる。具体的には、操作表示部１５に、上記８０枚の判定用紙幣が入出金部２１にあったときの状態の表裏および紙幣上下がわかるイラスト表示を表示させ、このイラスト表示に対して、入出金部２１にある最上位置の紙幣が表裏および紙幣上下が同じ向きの場合には、紙幣の向きの変更を促すガイダンスを含む報知を操作表示部１５に行わせる。併せて警報音を発しても良い。
【００６４】
その際に、判定用紙幣がＡタイプ金種の紙幣である場合には、操作表示部１５に、例えば、紙幣左右の向きはそのままで表裏を反転させるように、変更後の表裏および紙幣上下がわかるイラスト表示を表示させて案内する。紙幣左右の向きはそのままで表裏を反転させると紙幣上下が反転する。あるいは、表裏の向きはそのままで紙幣上下を反転させるように、変更後の表裏および紙幣上下がわかるイラスト表示を表示させて案内する。表裏の向きはそのままで紙幣上下を反転させても紙幣上下が反転する。
【００６５】
具体的に、判定用紙幣が、例えば、操作者から見て、図２（ａ）に示すように、紙幣Ｓの表面Ｈを鉛直方向上側にし、紙幣上を奥側として入出金部２１に装填されたものと判断したときは、残りの紙幣が、図２（ｂ）に示すように、操作者から見て、紙幣Ｓの裏面Ｒを鉛直方向上側にし、紙幣下を奥側とするように、長手方向に沿う軸を中心に半回転させて、入出金部２１に装填するよう、操作表示部１５に、その具体例の図を表示させる。あるいは、残りの紙幣が、図２（ｃ）に示すように、操作者から見て、紙幣Ｓの表面Ｈを鉛直方向上側にし、紙幣下を奥側とするように、表裏は反転させずに半回転させて、入出金部２１に装填するよう、操作表示部１５に、その具体例の図を表示させる。
【００６６】
また、判定用紙幣がＢタイプ金種の紙幣である場合には、操作表示部１５に、例えば、表裏の向きはそのままで紙幣上下を反転させるように、変更後の表裏および紙幣上下がわかるイラスト表示を表示させて案内する。表裏の向きはそのままで紙幣上下を反転させると紙幣左右が反転する。あるいは、紙幣上下方向の向きはそのままで表裏の向きを反転させるように、変更後の表裏および紙幣上下がわかるイラスト表示を表示させて案内する。紙幣上下をそのままで表裏の向きを反転させても紙幣左右が反転する。
【００６７】
具体的に、判定用紙幣が、例えば、操作者から見て、図２（ａ）に示すように、紙幣Ｓの表面Ｈを鉛直方向上側にし、紙幣上を奥側として入出金部２１に装填されたものと判断したときは、残りの紙幣が、図２（ｃ）に示すように、操作者から見て、紙幣の表面Ｈを鉛直方向上側にしたまま、紙幣下を奥側にするように水平面内で半回転させて、入出金部２１に装填するよう、操作表示部１５に、その具体例の図を表示させる。あるいは、残りの紙幣が、図２（ｄ）に示すように、紙幣の裏面Ｒを鉛直方向上側にし、紙幣上を奥側にするように短手方向に沿う軸を中心に半回転させて、入出金部２１に装填するよう、操作表示部１５に、その具体例の図を表示させる。
【００６８】
その後、補充入金処理の再スタート操作が入力されると、制御部１６は、シャッタ２０を閉じながら載置板２２を上昇させて、入出金部補充モードでの補充入金処理を再開する。この再開後に、制御部１６は、識別部２８の検出結果から、最初の所定の確認枚数（３枚等の複数枚）の紙幣が、判定用紙幣と同じ金種の紙幣である場合、判定用紙幣に対して、紙幣収納カセット３５（Ｅ）における最上面の紙幣Ｓ１の傾斜を解消する向きであるか否かを判定し、判定用紙幣に対して、紙幣収納カセット３５（Ｅ）における最上面の紙幣Ｓ１の傾斜を解消する向きである場合、これらの確認枚数の紙幣を、次の第１の所定枚数である８０枚連続する判定用紙幣に含めて、上記と同様の制御を行う。
【００６９】
他方、再開後、所定の確認枚数の紙幣が、判定用紙幣に対して、紙幣収納カセット３５（Ｅ）における最上面の紙幣Ｓ１の傾斜を解消する向きでない場合、制御部１６は、入出金部２１の入出金繰出部２４を停止させる。入出金繰出部２４を停止後も、入出金部２１から繰り出された紙幣のうち、識別部２８で受け入れ可能と判定した紙幣を紙幣収納カセット３５（Ｅ）に収納する一方、識別部２８で受け入れ不可と判定した紙幣を入金リジェクト部２６に放出する。そして、制御部１６は、入出金部２１の入出金繰出部２４を停止させた後、入出金部２１から既に繰り出されている紙幣の搬送と並行して、シャッタ２０を開きつつ載置板２２を下げて、入出金部２１の最上位置の紙幣を、蹴出ローラ２４ａから離し、再セットしやすい状態とするとともに、上記と同様に、入出金部２１の紙幣の向きの確認または変更を促すガイダンスを含む報知を操作表示部１５に行わせる。
【００７０】
以上を適宜繰り返すことで、入出金部２１の紙幣がなくなったことが紙幣検知センサ１９で検知され、入出金部２１から繰り出されたすべての紙幣が、紙幣収納カセット３５（Ｅ）および入金リジェクト部２６のいずれかに搬送されると、制御部１６は、識別部２８で受け入れ可能と判定して紙幣収納カセット３５（Ｅ）に一時貯留した紙幣の金種別の枚数および総額等を操作表示部１５に表示させて、操作表示部１５への承認操作およびキャンセル操作の入力を待機する。よって、例えば、同一金種の複数束の官封券の帯封を解いた新券が、表裏および紙幣上下を同じ向きにして纏めて入出金部２１に投入されたとしても、これらの紙幣は、１００枚毎に繰り出しが停止されて作業者により向きが傾斜を抑制するように変えられて、紙幣収納カセット３５（Ｅ）に一時貯留されることになる。
【００７１】
なお、官封券の帯封を解いた新券での補充の場合、入金リジェクト部２６にリジェクトされる紙幣がなければ、１００枚単位での繰り出し後の一時停止時に、そのまま、入出金部２１の紙幣がなくなる場合がある。１００枚単位での繰り出し後の一時停止時に、入出金部２１の紙幣がなくなったことが紙幣検知センサ１９で検知されるとそのまま入出金部補充モードでの補充入金処理を終了する。または、官封券の帯封を解いた新券であっても、二重繰り出し現象によるリジェクトが発生することがあり、その場合には、入金リジェクト部２６のリジェクト紙幣の入出金部２１への追加入金（補充）処理を行わせることによって、入出金部２１に投入されたすべての紙幣を紙幣収納カセット３５（Ｅ）に一時貯留する。
【００７２】
ここで、第１実施形態において、第１の所定枚数である８０枚の判定用紙幣を識別部２８で検出した後、入出金部２１の直後に設けられた繰出検知センサ２５で、８０枚の判定用紙幣の１枚目から数えて第２の所定枚数である１００枚の紙幣を計数するまでの間に、８０枚の判定用紙幣に対して、同一金種で、紙幣収納カセット３５（Ｅ）に収納される際に最上面の紙幣Ｓ１の傾斜を抑制するように向きが変えられているものを識別部２８で検出した場合、制御部１６は、入出金繰出部２４を停止させることなく、この紙幣を次の８０枚の判定用紙幣の１枚目として制御をやり直す。
【００７３】
なお、第１実施形態において、所定枚数である１００枚の判定用紙幣を識別部２８で検出した後、識別部２８で１０１枚目の紙幣を検出するまで、入出金部２１の入出金繰出部２４を停止させずに紙幣の繰り出しを継続させ、この１０１枚目の紙幣が、判定用紙幣に対し、紙幣収納カセット３５（Ｅ）に収納される際に最上面の紙幣Ｓ１の傾斜を抑制するように向きが変えられていない場合に、入出金繰出部２４を停止させる一方、紙幣収納カセット３５（Ｅ）に収納される際に最上面の紙幣Ｓ１の傾斜を抑制するように向きが変えられている場合には、入出金繰出部２４を停止させることなく、この１０１枚目の紙幣を、次の１００枚の判定用紙幣の１枚目として制御をやり直すようにしても良い。その際に、入出金繰出部２４を停止させる場合、それまでの間に繰り出された紙幣を紙幣収納カセット３５（Ｅ）に収納するため、１０１枚以上の枚数の紙幣が紙幣収納カセット３５（Ｅ）に収納されることになるが、最上面の紙幣Ｓ１を傾斜させるほどの枚数にはならない。
【００７４】
［補充収納処理］
補充収納処理は、図４に太線で示す通常収納処理ルートと同様の補充収納処理ルートで紙幣を移動させることになる。入出金部補充モードでの補充入金処理後、操作表示部１５への承認操作が入力されると、上記通常収納処理と同様に、紙幣収納カセット３５（Ｅ）に一時貯留した紙幣を、確定して、奥から１番目〜４番目に配置された紙幣収納カセット３５（Ａ）〜３５（Ｄ）の対応するものに収納する。なお、補充収納処理においても、識別部２８で重送等と識別した紙幣については、出金リジェクト部２７に収納する。一金種の補充のときは、オーバーフロー紙幣が発生しなければ、紙幣収納カセット３５（Ｅ）から紙幣収納カセット３５（Ａ）〜３５（Ｃ）の一つへの紙幣の転送となり、二金種以上の補充のときは、オーバーフロー紙幣が発生しなければ、紙幣収納カセット３５（Ｅ）から紙幣収納カセット３５（Ａ）〜３５（Ｃ）の二つ以上への紙幣の分配となる。
【００７５】
紙幣収納カセット３５（Ａ）〜３５（Ｄ）では、紙幣収納カセット３５（Ｅ）に一時貯留した紙幣を、紙幣左右方向の向きはそのままで、鉛直方向上側が表面Ｈであった紙幣を鉛直方向上側が裏面Ｒとなる向きで収納し、鉛直方向上側が裏面Ｒであった紙幣を鉛直方向上側が表面Ｈとなる向きで収納することになる。よって、例えば、同一金種の複数束の官封券の帯封を解いた新券が、表裏および紙幣上下を同じ向きにして纏めて入出金部２１に投入されたとしても、これらの紙幣は、紙幣収納カセット３５（Ｅ）と同様、最上面の紙幣Ｓ１の傾斜を抑制するように適宜向きが変えられて紙幣収納カセット３５（Ａ）〜３５（Ｄ）の対応するものに収納されることになる。
【００７６】
［補充返却処理］
補充返却処理は、図５に太線で示す通常返却処理ルートと一部異なる図９に太線で示す補充返却処理ルートで紙幣を移動させることになる。入出金部補充モードでの補充入金処理後、操作表示部１５へのキャンセル操作が入力されると、上記通常返却処理と同様に、紙幣収納カセット３５（Ｅ）に一時貯留した紙幣を、確定せず、入出金部２１に出金する。その際に、通常返却処理とは異なり、紙幣収納カセット３５（Ｅ）からの紙幣を、識別部２８で識別し、その結果に基づいて、表裏反転が必要でないものは紙幣向き変更部４４の並列区間部４１Ｕを含む搬送路４１Ａで入出金部２１に、表裏反転が必要なものは紙幣向き変更部４４の搬送路４１Ｓを介して表裏反転部４３で表裏反転させた後、搬送路４１Ａで入出金部２１に、それぞれ搬送する。その結果、入出金部２１に繰り出された紙幣は、表裏が一定の向きに取り揃えられる。すなわち、紙幣収納カセット３５（Ｅ）からの紙幣を、紙幣向き変更部４４が表裏を取りそろえて入出金部２１に出金する。
【００７７】
なお、以上では、入出金部補充モードが選択された場合に、通常入金処理および通常収納処理と同じように、入出金部２１に投入された補充紙幣をプールカセットである紙幣収納カセット３５（Ｅ）に一旦収納してから、金種カセットである紙幣収納カセット３５（Ａ）〜３５（Ｃ）およびオーバーフローカセットである紙幣収納カセット３５（Ｄ）に収納し直す場合を説明した。しかし、これに限るのではなく、入出金部補充モードに限って、入出金部２１からの紙幣を、識別部２８の識別結果に応じて上記のように傾斜抑制案内制御を行いつつ、プールカセットである紙幣収納カセット３５（Ｅ）ではなく、直接、金種カセットである紙幣収納カセット３５（Ａ）〜３５（Ｃ）およびオーバーフローカセットである紙幣収納カセット３５（Ｄ）に収納するようにしても良い。
【００７８】
ここで、紙幣収納カセット３５（Ａ）〜３５（Ｄ）には、紙幣収納カセット３５（Ｅ）への収納時に上記した傾斜抑制案内制御が行われることで、官封券の帯封を解いた新券が１００枚毎に向きが交互に変えられて収納されることがあるが、バラ紙幣出金処理において、識別部２８の識別結果に基づいて、表裏反転が必要でないものは紙幣向き変更部４４の並列区間部４１Ｕを含む搬送路４１Ａで入出金部２１に、表裏反転が必要なものは紙幣向き変更部４４の搬送路４１Ｓを介して表裏反転部４３で表裏反転させた後、搬送路４１Ａで入出金部２１に、それぞれ搬送するため、入出金部２１に繰り出された紙幣は、表裏が一定の向きに取り揃えられる。
【００７９】
以上に述べた第１実施形態の紙幣処理機１１によれば、制御部１６は、入出金繰出部２４から同一金種の新券紙幣が表裏および紙幣上下が同じ向きで所定枚数連続して繰り出されたか否かを判定し、該判定の結果に基づいて入出金繰出部２４の停止を制御するため、入出金繰出部２４を停止させることで入出金部２１の残りの紙幣の向きの変更が可能となり、紙幣収納カセット３５（Ａ）〜３５（Ｅ）での繰り出し不良の発生を抑制することが可能となる。
【００８０】
具体的に、制御部１６は、識別部２８が、同一金種で表裏および紙幣上下が同じ向きの所定枚数連続する判定用紙幣を検出すると、官封券の帯封を解いた新券の補充であって、入出金繰出部２４から同一金種の新券紙幣が表裏および紙幣上下が同じ向きで所定枚数連続して繰り出されたと判定して、入出金繰出部２４を停止させるとともに、入出金部２１の紙幣の向きの確認または変更を促すガイダンスを含む報知を操作表示部１５に行わせる。しかも、所定枚数毎に、紙幣の入出金部２１からの繰り出しを停止させて、入出金部２１に残った新券の向きを金種に適した向きとなるように指示する。よって、複雑な制御を要することなく、官封券の帯封を解いた新券を、所定枚数毎に、適切な向きに変更して紙幣収納カセット３５（Ｅ）に一旦収納することができ、また、官封券の帯封を解いた新券を、所定枚数毎に、適切な向きに変更して紙幣収納カセット３５（Ａ）〜３５（Ｄ）に収納することができる。よって、紙幣収納カセット３５（Ｅ）および紙幣収納カセット３５（Ａ）〜３５（Ｄ）からの繰り出し不良の発生を抑制することが可能となり、正常な繰り出しを行うことができる。
【００８１】
また、制御部１６は、識別部２８が、同一金種で表裏および紙幣上下が同じ向きの第１の所定枚数である８０枚連続する判定用紙幣を検出すると、入出金繰出部２４から同一金種の新券紙幣が表裏および紙幣上下が同じ向きで所定枚数である８０枚連続して繰り出されたと判定し、その後、繰出検知センサ２５が、これら８０枚の判定用紙幣を含んで第２の所定枚数である１００枚の紙幣を計数すると、入出金繰出部２４を停止させる。これにより、入出金繰出部２４の繰り出し停止までの繰り出し枚数を、１００枚とすることができ、より正確に制御できる。
【００８２】
また、補充入金処理において、入出金部２１で人手により向きが変えられて、紙幣収納カセット３５（Ｅ）に収納された紙幣を、補充返却処理において、紙幣向き変更部４４で表裏の向きを揃えて入出金部２１に繰り出すことができる。加えて、入出金部２１で人手により向きが変えられて、紙幣収納カセット３５（Ｅ）に収納後、紙幣収納カセット３５（Ａ）〜３５（Ｃ）に収納された紙幣を、バラ紙幣出金処理において、紙幣向き変更部４４で表裏の向きを揃えて入出金部２１に繰り出すことができる。
【００８３】
＜第２実施形態＞
本発明に係る第２実施形態の紙幣処理機を、第１実施形態との相違部分を中心に説明する。
【００８４】
第２実施形態では、補充入金処理として、上記した入出金部補充モードでの補充入金処理と、これとは別の、操作者に新券補充を選択設定させる入出金部新券補充モードでの補充入金処理とが選択可能となっている。入出金部新券補充モードでは、上記のように操作者が新券を補充紙幣として補充入金処理を行うことを選択設定することから、紙幣処理機１１は、入出金部２１に装填された補充用の紙幣がすべて官封券の帯封を解いた新券であるものとみなして動作する。
【００８５】
［補充入金処理］
操作表示部１５（モード選択設定手段）で、モードの選択設定が行われ、入出金部新券補充モードが選択された状態となって金種が指定されると、補充用として入出金部２１に投入された紙幣に対し、通常入金処理と一部異なる補充入金処理と、通常収納処理と同様の補充収納処理または通常返却処理と一部異なる補充返却処理とを行って、紙幣収納カセット３５（Ｅ）に一時貯留後、紙幣収納カセット３５（Ａ）〜３５（Ｄ）に補充し、または入出金部２１に返却することになる。
【００８６】
入出金部新券補充モードでの補充入金処理においては、制御部１６が、補充入金処理中に、繰出検知センサ２５の検知結果に基づいて、入出金部２１の入出金繰出部２４から所定枚数紙幣が繰り出されると、同一金種の新券紙幣が表裏および紙幣上下が同じ向きで所定枚数連続して繰り出されたと判定して、入出金繰出部２４の停止を制御して、紙幣収納カセット３５（Ａ）〜３５（Ｅ）において最上面の紙幣Ｓ１の傾斜を抑制する傾斜抑制案内制御を行う点が、通常入金処理と相違する。
【００８７】
制御部１６は、操作表示部１５で指定された金種がＡタイプ金種およびＢタイプ金種のうちの一方で、繰出検知センサ２５の検知結果から所定枚数連続する判定用紙幣を検出すると、入出金部２１の入出金繰出部２４から、Ａタイプ金種およびＢタイプ金種のうちの一方の同一金種の新券紙幣が表裏および紙幣上下が同じ向きで所定枚数連続して繰り出されたと判定する。すると、制御部１６は、入出金部２１の入出金繰出部２４を停止させるとともに、入出金部２１の紙幣の向きの確認または変更を促すガイダンスを含む報知を操作表示部１５に行わせる。
【００８８】
制御部１６は、より具体的には、入出金部新券補充モードでの補充入金処理開始後、繰出検知センサ２５が所定枚数である１００枚連続する判定用紙幣を検出すると、入出金部２１の入出金繰出部２４からＡタイプ金種およびＢタイプ金種のうちの指定された一方の同一金種の新券紙幣が表裏および紙幣上下が同じ向きで所定枚数である１００枚連続して繰り出されたと判定し、入出金部２１の入出金繰出部２４を停止させる。
【００８９】
なお、上記のように繰出検知センサ２５で所定枚数である１００枚の判定用紙幣を計数する間および入出金繰出部２４の停止後において、それまでに入出金部２１から繰り出された紙幣のうち、識別部２８で受け入れ可能と判定した紙幣を、図３に太実線で示すように紙幣収納カセット３５（Ｅ）に収納する一方、識別部２８で受け入れ不可と判定した紙幣を、図３に太破線で示すように入金リジェクト部２６に放出する。識別部２８で受け入れ不可と判定した紙幣については、所定枚数である１００枚の判定用紙幣に含めずに除外し、その分の紙幣だけを入出金部２１から入出金繰出部２４で追加で繰り出させる。これにより、所定枚数である１００枚の判定用紙幣を紙幣収納カセット３５（Ｅ）に収納し、それ以降の紙幣を入出金部２１に残すことになる。
【００９０】
Ａタイプ金種およびＢタイプ金種のうちの指定された一方の同一金種で表裏および紙幣上下が同じ向きの所定枚数である１００枚の判定用紙幣を識別部２８で識別すると、制御部１６は、入出金部２１から既に繰り出されている紙幣の搬送と並行して、シャッタ２０を開きつつ載置板２２を下げて、入出金部２１の最上位置の紙幣を、蹴出ローラ２４ａから離し、再セットしやすい状態とするとともに、官封券の帯封を解いた新券の補充と判断したので入出金部２１の紙幣の向きの確認または変更を促す第１実施形態と同様の報知を操作表示部１５に行わせる。
【００９１】
その後、入出金部新券補充モードでの補充入金処理の再スタート操作が入力されると、シャッタ２０を閉じながら載置板２２を上昇させて、入出金部新券補充モードでの補充入金処理を再開する。この再開後に、制御部１６は、識別部２８の検出結果から、再開後、所定の確認枚数（複数枚）の紙幣が、判定用紙幣と同金種の紙幣である場合、判定用紙幣に対して、最上面の紙幣Ｓ１の傾斜を解消する向きであるか否かを判定し、判定用紙幣に対して、最上面の紙幣Ｓ１の傾斜を解消する向きである場合、これらの紙幣を、次の所定枚数である１００枚連続する判定用紙幣に含めて上記と同様の処理を行う。
【００９２】
他方、再開後、所定の確認枚数の紙幣が、判定用紙幣に対して、最上面の紙幣Ｓ１の傾斜を解消する向きでない場合、入出金部２１の入出金繰出部２４を停止させる。入出金繰出部２４を停止後も、入出金部２１から繰り出された紙幣のうち、識別部２８で受け入れ可能と判定した紙幣を紙幣収納カセット３５（Ｅ）に収納する一方、識別部２８で受け入れ不可と判定した紙幣を入金リジェクト部２６に放出する。そして、制御部１６は、入出金繰出部２４を停止させた後、入出金部２１から既に繰り出されている紙幣の搬送と並行して、シャッタ２０を開きつつ載置板２２を下げて、入出金部２１の最上位置の紙幣を、蹴出ローラ２４ａから離し、再セットしやすい状態とするとともに、上記と同様に、入出金部２１の紙幣の向きの確認または変更を促すガイダンスを含む報知を操作表示部１５に行わせる。
【００９３】
以上を適宜繰り返すことで、入出金部２１の紙幣がなくなったことが紙幣検知センサ１９で検知され、入出金部２１から繰り出されたすべての紙幣が、紙幣収納カセット３５（Ｅ）および入金リジェクト部２６のいずれかに搬送されると、制御部１６は、識別部２８で受け入れ可能と判定して紙幣収納カセット３５（Ｅ）に一時貯留した紙幣の金種別の枚数および総額等を操作表示部１５に表示させて、操作表示部１５への承認操作およびキャンセル操作の入力を待機する。よって、例えば、同一金種の複数束の官封券の帯封を解いた新券が、表裏および紙幣上下を同じ向きにして纏めて入出金部２１に投入されたとしても、これらの紙幣は、向きが傾斜を抑制するように変えられて紙幣収納カセット３５（Ｅ）に一時貯留されることになる。
【００９４】
［補充収納処理］
入出金部新券補充モードでの補充入金処理後、操作表示部１５への承認操作が入力されると、第１実施形態と同様の補充収納処理を行う。
【００９５】
［補充返却処理］
入出金部新券補充モードでの補充入金処理後、操作表示部１５へのキャンセル操作が入力されると、第１実施形態と同様の補充返却処理を行う。
【００９６】
以上の第２実施形態によれば、操作表示部１５によって入出金部新券補充モードが設定された状態で、繰出検知センサ２５が所定枚数の判定用紙幣を検出すると、入出金繰出部２４から同一金種の新券紙幣が表裏および紙幣上下が同じ向きで所定枚数連続して繰り出されたと判定して、入出金繰出部２４を停止させるとともに、入出金部２１の紙幣の向きの確認または変更を促すガイダンスを含む報知を操作表示部１５に行わせる。よって、操作者の選択設定に基づいて、入出金繰出部２４から同一金種の新券紙幣が表裏および紙幣上下が同じ向きで所定枚数連続して繰り出されたことを判定することができる。
【００９７】
ここで、第２実施形態において、入出金繰出部２４を停止させることなく、所定枚数である１００枚の判定用紙幣よりも１枚多い１０１枚目の紙幣すなわち判定用紙幣の後の紙幣を識別部２８で確認後に紙幣収納カセット３５（Ｅ）に一時貯留するように制御し、この１０１枚目の紙幣の識別部２８による識別結果が、１００枚目までの判定用紙幣のうち、１枚目から所定枚数である例えば８０枚目を構成する紙幣に対して、同一金種で、紙幣収納カセット３５（Ｅ）に収納される際に最上面の紙幣Ｓ１の傾斜を抑制するように向きが変えられている場合、制御部１６は、この１０１目の紙幣を判定用紙幣の１枚目として次の１００枚の判定用紙幣を継続して入出金部２１から入出金繰出部２４によって繰り出させ、このような処理を連続して行わせるようにしても良い。これにより、同一金種の複数束の官封券の帯封を解いた新券が、紙幣収納カセット３５（Ｅ）に収納される際に最上面の紙幣Ｓ１の傾斜を抑制するように、束毎に向きが変えられて、入出金部２１にセットされている場合、不必要に補充入金処理を停止させてしまうことがなくなる。
【００９８】
この場合、１０１枚目の紙幣が、１００枚目までの判定用紙幣のうち、１枚目から所定枚数である例えば８０枚目の紙幣に対して、同一金種で、表裏および紙幣上下が同じ向きである等、紙幣収納カセット３５（Ｅ）に収納される際に最上面の紙幣Ｓ１の傾斜を抑制するように向きが変えられていない場合、１０１枚目の紙幣を識別部２８の検出結果に基づき判定した時点で、入出金繰出部２４を停止させるとともに、入出金部２１から既に繰り出されている紙幣の搬送と並行して、シャッタ２０を開きつつ載置板２２を下げて、入出金部２１の最上位置の紙幣を、蹴出ローラ２４ａから離し、再セットしやすい状態とするとともに、入出金部２１の紙幣の向きの確認または変更を促す第１実施形態と同様の報知を操作表示部１５に行わせる。その際に、１０１枚を超える枚数の紙幣が紙幣収納カセット３５（Ｅ）に収納されることになるが、最上面の紙幣Ｓ１を傾斜させるほどの枚数にはならない。
【００９９】
このように構成すれば、制御部１６は、操作表示部１５によって入出金部新券補充モードが設定された状態で、識別部２８が、同一金種で表裏および紙幣上下が同じ向きの所定枚数連続する判定用紙幣を検出すると、入出金繰出部２４から同一金種の新券紙幣が表裏および紙幣上下が同じ向きで所定枚数連続して繰り出されたと判定することになり、識別部２８が識別する判定用紙幣の後の紙幣が判定用紙幣と同一金種で向きが異なる紙幣である場合は、入出金繰出部２４による紙幣の繰り出しを継続させる。よって、不要に入出金繰出部２４を停止させて報知を行ってしまうことを抑制できる。
【０１００】
なお、１０１枚目を、１枚目からの１００枚よりも少ない８０枚と比較するのは、入金リジェクト部２６へ繰り出されるリジェクト紙幣の影響を排除するためである。すなわち、１０１枚目を、１枚目から１００枚と比較すると、１枚目から１００枚目までの間にリジェクト紙幣が生じた場合、１００枚目の前で紙幣の向きが変わって判定に影響を及ぼす可能性があるためである。
【０１０１】
このように、１００枚の判定用紙幣を検出する前に、識別部２８で受け入れ不可な紙幣を検出した場合には、識別部２８において１００枚目の前で紙幣の向きが変わることがある。このような場合に、向きが変わった紙幣が、紙幣収納カセット３５（Ｅ）に収納される際に最上面の紙幣Ｓ１の傾斜を抑制するように向きが変わっていれば、入出金繰出部２４を停止させることなく、向きが変わった紙幣を、判定用紙幣の１枚目として判定用紙幣の計数をやり直すようにし、その間、継続して入出金部２１から入出金繰出部２４によって紙幣を繰り出させるようにしても良い。
【０１０２】
ここで、第１，第２実施形態において、制御部１６は、識別部２８が、同一金種で表裏および紙幣上下が同じ向きで記番号が連続する所定枚数の判定用紙幣を検出すると、入出金繰出部２４から同一金種の新券紙幣が表裏および紙幣上下が同じ向きで所定枚数連続して繰り出されたと判定して、入出金繰出部２４を停止させるとともに、入出金部２１の紙幣の向きの確認または変更を促すガイダンスを含む報知を操作表示部１５に行わせるようにしても良い。
【０１０３】
すなわち、官封券の帯封を解いた新券を補充する場合、記番号として、一般的には、「・・・０１」〜「・・・００（百の位の桁上がり）」のデータが検出されるか、「・・・００」、「（百の位の桁下がり後の）・・・９９」〜「・・・０１」のデータが検出されるので、これらの検出データの検出過程で、官封券の帯封を解いた新券の補充であると判断する。なお、これに加えて、紙幣の表裏および紙幣上下の識別結果をさらに確認しても良い。
【０１０４】
このように構成すれば、官封券の帯封を解いた新券において可能性が高い連続する記番号の検出で、向きが一定の新券であることを判定するため、入出金繰出部２４から同一金種の新券紙幣が表裏および紙幣上下が同じ向きで所定枚数連続して繰り出されたことを、より正確に判定することができる。
【０１０５】
＜第３実施形態＞
本発明に係る第３実施形態の紙幣処理機を、主に図１０〜図１２を参照して第１実施形態との相違部分を中心に説明する。
【０１０６】
図１０に示すように、第３実施形態においては、搬送路４１Ａにおける搬送路４１Ｔの分岐位置と搬送路４１Ｓの合流位置との間から分岐して搬送路４１Ａの識別部２８と搬送路４１Ｄの分岐位置との間に合流する搬送路４１Ｖと、搬送路４１Ｓの表裏反転部４３よりも識別部２８とは反対側から分岐して搬送路４１Ａの並列区間部４１Ｕに合流する搬送路４１Ｗと、並列区間部４１Ｕの搬送路４１Ｗの合流位置と搬送路４１Ｌの合流位置との間から分岐して搬送路４１Ａの搬送路４１Ｖの合流位置と搬送路４１Ｄの分岐位置との間に合流する搬送路４１Ｘとを有している。
【０１０７】
そして、第３実施形態においては、紙幣向き変更部４４が、第１実施形態と同様のバラ紙幣出金処理および補充返却処理に加えて、補充入金処理においても、識別部２８で識別された紙幣の表裏の向きを変更可能となっている。なお、第３実施形態において、通常入金処理は、第１実施形態と同様に作動する。
【０１０８】
［入出金部補充入金処理］
図１１の太線は、機外から装填部としての入出金部２１に投入されたバラ紙幣を搬送しつつ識別計数し適宜表裏を反転させる第３実施形態の入出金部補充入金処理のルートを示している。つまり、第３実施形態において、操作表示部１５に入出金部補充モードでの補充入金処理の選択操作がなされると、制御部１６は、シャッタ２０を開き、その後、入出金部２１の載置板２２上にバラ紙幣が載置されたことを紙幣検知センサ１９で検知して、操作表示部１５に補充入金処理の実行操作がなされると、シャッタ２０を閉じ、載置板２２を上昇させて、入出金繰出部２４の蹴出ローラ２４ａに最上位置の紙幣を当接させることになる。この状態で、入出金繰出部２４が、入出金部２１の載置板２２上の紙幣を最上部の紙幣から順に、蹴出ローラ２４ａで蹴り出し繰出ローラ２４ｂおよび分離ローラ２４ｃで一枚ずつに分離しつつ所定の間隔をあけて繰り出すことになり、繰り出した紙幣を、搬送路４１Ａから搬送路４１Ｖで搬送し、搬送路４１Ａ，４１Ｓ，４１Ｗ，４１Ｌ，４１Ｃ等で搬送することになる。
【０１０９】
その際に、搬送路４１Ａでの搬送中に識別部２８が紙幣を識別計数することになり、識別部２８で受け入れ可能と判定した紙幣を、図１１に太実線で示すように、搬送路４１Ａあるいは搬送路４１Ａ，４１Ｓ，４１Ｗで搬送し、搬送路４１Ｌ，４１Ｃで最も前側に配置された紙幣収納カセット３５（Ｅ）に搬送する。その一方で、識別部２８で受け入れ不可と判定した紙幣を、図１１に太破線で示すように、搬送路４１Ａから、搬送路４１Ｑ，４１Ｐで入金リジェクト部２６に搬送する。これにより、受け入れ可能な紙幣を最も前側に配置された紙幣収納カセット３５（Ｅ）に一時貯留し、受け入れ不可な紙幣を入金リジェクト部２６に放出する。
【０１１０】
そして、入出金部２１の紙幣がなくなったことが紙幣検知センサ１９で検知され、入出金部２１から繰り出されたすべての紙幣が、紙幣収納カセット３５（Ｅ）および入金リジェクト部２６のいずれかに搬送されると、制御部１６は、識別部２８で受け入れ可能と判定して紙幣収納カセット３５（Ｅ）に一時貯留した紙幣の金種別の枚数および総額等を操作表示部１５に表示させて、操作表示部１５への承認操作およびキャンセル操作の入力を待機する。
【０１１１】
第３実施形態では、制御部１６が、上記した入出金部補充モードでの入出金部補充入金処理中に、入出金部２１の入出金繰出部２４から、同一金種の新券紙幣が表裏および紙幣上下が同じ向きで所定枚数連続して繰り出されたか否かを判定し、該判定の結果に基づいて、紙幣向き変更部４４を制御して、紙幣向き変更部４４を通過後の紙幣が収納される紙幣収納カセット３５（Ｅ）、および、その後に紙幣収納カセット３５（Ｅ）から紙幣が搬送される紙幣収納カセット３５（Ａ）〜３５（Ｄ）において、最上面の紙幣Ｓ１の傾斜を抑制する、以下の傾斜抑制向き制御を行う。
【０１１２】
制御部１６は、識別部２８が、Ａタイプ金種の同一金種で表裏および紙幣上下が同じ向きの所定枚数である１００枚連続する判定用紙幣を検出すると、入出金部２１の入出金繰出部２４から、Ａタイプ金種の同一金種の新券紙幣が表裏および紙幣上下が同じ向きで所定枚数である１００枚連続して繰り出されたと判定する。そして、制御部１６は、識別部２８が識別する１００枚の判定用紙幣の後の１０１枚目の紙幣が、判定用紙幣と同一金種で表裏および紙幣上下が同じ向きの紙幣であると、紙幣向き変更部４４で当該紙幣の表裏の向きを変更し、この紙幣を次の判定用紙幣の１枚目として、次の１００枚に向けて同様の制御を行うことになり、その際、この１枚目と同一金種で表裏および紙幣上下が同じ向きの紙幣が続く限り、紙幣向き変更部４４で表裏の向きを変更する状態を続ける。
【０１１３】
その一方、識別部２８で、Ａタイプ金種の１００枚の判定用紙幣が検出され、その後の１０１枚目の紙幣が判定用紙幣と同一金種で紙幣収納カセット３５（Ｅ）における最上面の紙幣Ｓ１の傾斜を解消する向きの紙幣である場合と、１００枚の判定用紙幣が検出される以前に、それまでの判定用紙幣と同一金種で紙幣収納カセット３５（Ｅ）における最上面の紙幣Ｓ１の傾斜を解消する向きの紙幣が検出された場合とについては、紙幣向き変更部４４で当該紙幣の表裏の向きを変更せず、この紙幣を次の判定用紙幣の１枚目として、次の１００枚に向けて同様の制御を行うことになり、その際、この１枚目と同一金種で表裏および紙幣上下が同じ向きの紙幣が続く限り、紙幣向き変更部４４で表裏の向きを変更しない状態を続ける。
【０１１４】
なお、制御部１６は、識別部２８が、Ｂタイプ金種の同一金種で表裏および紙幣上下が同じ向きの所定枚数である１００枚連続する判定用紙幣を検出すると、入出金部２１の入出金繰出部２４から、Ｂタイプ金種の同一金種の新券紙幣が表裏および紙幣上下が同じ向きで所定枚数である１００枚連続して繰り出されたと判定する。そして、制御部１６は、識別部２８が識別する１００枚の判定用紙幣の後の１０１枚目の紙幣が、判定用紙幣と同一金種で表裏および紙幣上下が同じ向きの紙幣であると、入出金部２１の入出金繰出部２４を停止させて、第１実施形態と同様に、紙幣の向きの変更を促すガイダンスを含む報知を操作表示部１５に行わせる。
【０１１５】
その一方、識別部２８で、Ｂタイプ金種の１００枚の判定用紙幣が検出され、その後の１０１枚目の紙幣が判定用紙幣と同一金種で紙幣収納カセット３５（Ｅ）における最上面の紙幣Ｓ１の傾斜を解消する向きの紙幣である場合と、１００枚の判定用紙幣が検出される以前に、それまでの判定用紙幣と同一金種で紙幣収納カセット３５（Ｅ）における最上面の紙幣Ｓ１の傾斜を解消する向きの紙幣が検出された場合とについては、入出金部２１の入出金繰出部２４を停止させることなく、この紙幣を次の判定用紙幣の１枚目として、次の１００枚に向けて同様の制御を行うことになる。
【０１１６】
ここで、上記のように識別部２８で所定枚数である１００枚の紙幣を計数する間において、それまでに入出金部２１から繰り出された紙幣のうち、識別部２８で受け入れ可能と判定した紙幣を、図１１に太実線で示すように紙幣収納カセット３５（Ｅ）に収納する一方、識別部２８で受け入れ不可と判定した紙幣を、図１１に太破線で示すように入金リジェクト部２６に放出する。識別部２８で受け入れ不可と判定した紙幣については、所定枚数である１００枚の紙幣に含めずに除外し、その分の紙幣だけを入出金部２１の入出金繰出部２４で追加で繰り出させる。これにより、判定用紙幣の１枚目から１００枚目までの受け入れ可能な紙幣を紙幣収納カセット３５（Ｅ）に収納し、判定用紙幣の１０１枚目から２００枚目までの受け入れ可能な紙幣を、最上面の紙幣Ｓ１の傾斜を解消する向きで紙幣収納カセット３５（Ｅ）に収納し、以後、２０１枚目以降についても同様に収納することができる。
【０１１７】
以上を適宜繰り返すことで、入出金部２１の紙幣がなくなったことが紙幣検知センサ１９で検知され、入出金部２１から繰り出されたすべての紙幣が、紙幣収納カセット３５（Ｅ）および入金リジェクト部２６のいずれかに搬送されると、制御部１６は、識別部２８で受け入れ可能と判定して紙幣収納カセット３５（Ｅ）に一時貯留した紙幣の金種別の枚数および総額等を操作表示部１５に表示させて、操作表示部１５への承認操作およびキャンセル操作の入力を待機する。よって、例えば、同一金種の複数束の官封券の帯封を解いた新券が、表裏および紙幣上下を同じ向きにして纏めて入出金部２１に投入されたとしても、これらの紙幣は、１００数毎に向きが傾斜を抑制するように変えられて紙幣収納カセット３５（Ｅ）に一時貯留されることになる。
【０１１８】
［補充収納処理］
第３実施形態において、上記した入出金部補充モードでの補充入金処理後、操作表示部１５への承認操作が入力されると、第１実施形態と同様の補充収納処理を行う。
【０１１９】
［補充返却処理］
第３実施形態において、上記した入出金部補充モードでの補充入金処理後、操作表示部１５へのキャンセル操作が入力されると、第１実施形態と同様の補充返却処理を行う。
【０１２０】
［カセット補充処理］
図１２の太線は、機外で装填部としての紙幣収納カセット３５（Ｅ）に補充用の紙幣が装填され、この紙幣収納カセット３５（Ｅ）が紙幣処理機１１にセットされて、この紙幣収納カセット３５（Ｅ）からバラ紙幣を搬送しつつ識別計数し適宜表裏を反転させて紙幣収納カセット３５（Ａ）〜３５（Ｄ）の対応するものに収納する第３実施形態のカセット補充処理のルートを示している。
【０１２１】
操作表示部１５に、カセット補充モードで実行されるカセット補充処理の選択操作が入力されると、紙幣収納カセット３５（Ｅ）からその繰出部３６で繰り出した紙幣を、図１２に太実線で示すように、搬送路４１Ｃ，４１Ａ，４１Ｌ，４１Ａ，４１Ｖ，４１Ａで識別部２８に搬送し、識別部２８の識別結果に基づいて、搬送路４１Ａあるいは搬送路４１Ａ，４１Ｓ，４１Ｗで搬送し、その後、搬送路４１Ｘ，搬送路４１Ａ，４１Ｄ〜４１Ｋの対応するものによって、奥から１番目〜４番目に配置された紙幣収納カセット３５（Ａ）〜３５（Ｄ）の対応するものに搬送する。これにより、紙幣収納カセット３５（Ａ）〜３５（Ｄ）の対応するものに紙幣を収納する。なお、識別部２８で重送等と識別した紙幣については、図１２に太破線で示すように、搬送路４１Ａ，４１Ｑ，４１Ｐ，４１Ｒによって出金リジェクト部２７に搬送し、出金リジェクト部２７に収納する。ここで、搬送路４１Ａにおいて、紙幣収納カセット３５（Ｅ）から搬送路４１Ｖに向かう紙幣と、識別部２８から出金リジェクト部２７に向かう紙幣とが重なるタイミングのときは、紙幣収納カセット３５（Ｅ）からの紙幣を繰り出しを一時停止させて、識別部２８から出金リジェクト部２７に向かう紙幣を優先して搬送する。
【０１２２】
このカセット補充処理においても、上記入出金部補充入金処理において装填部としての入出金部２１から収納繰出部としての紙幣収納カセット３５（Ｅ）に紙幣を搬送する際に、紙幣向き変更部４４で行った、最上部の紙幣Ｓ１の傾斜を抑制する上記した傾斜抑制向き制御を、装填部としての紙幣収納カセット３５（Ｅ）から繰り出した紙幣を、紙幣向き変更部４４を通過後に、収納繰出部としての紙幣収納カセット３５（Ａ）〜３５（Ｄ）に収納する際に行う。すなわち、紙幣収納カセット３５（Ｅ）に、補充用紙幣として官封券の帯封が解かれた状態の新券紙幣が複数束分装填されることがあるが、この場合に、紙幣収納カセット３５（Ａ）〜３５（Ｄ）に収納する際の最上部の紙幣Ｓ１の傾斜を抑制する。
【０１２３】
以上の第３実施形態によれば、制御部１６は、入出金部補充モードで、入出金繰出部２４から同一金種の新券紙幣が表裏および紙幣上下が同じ向きで所定枚数連続して繰り出されたか否かを判定し、該判定の結果に基づいて、紙幣向き変更部４４を制御して、紙幣を紙幣収納カセット３５（Ｅ）に収納し、紙幣収納カセット３５（Ｅ）から紙幣収納カセット３５（Ａ）〜３５（Ｄ）に収納するため、紙幣収納カセット３５（Ｅ）に収納する紙幣および紙幣収納カセット３５（Ｅ）から紙幣収納カセット３５（Ａ）〜３５（Ｄ）に収納する紙幣の向きの変更が可能となり、紙幣収納カセット３５（Ａ）〜３５（Ｅ）での繰り出し不良の発生を抑制することが可能となる。
【０１２４】
具体的に、制御部１６は、識別部２８が、同一金種で表裏および紙幣上下が同じ向きの所定枚数連続する判定用紙幣を検出すると、入出金繰出部２４から同一金種の新券紙幣が表裏および紙幣上下が同じ向きで所定枚数連続して繰り出されたと判定することになり、識別部２８が識別する判定用紙幣の後の紙幣が判定用紙幣と同一金種で表裏および紙幣上下が同じ向きの紙幣であると、紙幣向き変更部４４で当該紙幣の向きを変更する一方、後の紙幣が判定用紙幣と同一金種で向きが異なる紙幣である場合は、紙幣向き変更部４４で当該紙幣の向きを変更しない。よって、自動的かつ適正に、紙幣収納カセット３５（Ｅ）に収納する紙幣、および紙幣収納カセット３５（Ｅ）から繰り出して紙幣収納カセット３５（Ａ）〜３５（Ｄ）に収納する紙幣の向きを、最上部の紙幣Ｓ１の傾斜を抑制するように変更でき、紙幣収納カセット３５（Ａ）〜３５（Ｅ）での繰り出し不良の発生を抑制することができる。
【０１２５】
また、制御部１６は、カセット補充モードで、紙幣収納カセット３５（Ｅ）から同一金種の新券紙幣が表裏および紙幣上下が同じ向きで所定枚数連続して繰り出されたか否かを判定し、該判定の結果に基づいて、紙幣向き変更部４４を制御するため、紙幣収納カセット３５（Ｅ）から繰り出し紙幣収納カセット３５（Ａ）〜３５（Ｄ）に収納する紙幣の向きの変更が可能となり、紙幣収納カセット３５（Ａ）〜３５（Ｄ）での繰り出し不良の発生を抑制することが可能となる。
【０１２６】
具体的に、制御部１６は、識別部２８が、同一金種で表裏および紙幣上下が同じ向きの所定枚数連続する判定用紙幣を検出すると、紙幣収納カセット３５（Ｅ）から同一金種の新券紙幣が表裏および紙幣上下が同じ向きで所定枚数連続して繰り出されたと判定することになり、識別部２８が識別する判定用紙幣の後の紙幣が判定用紙幣と同一金種で表裏および紙幣上下が同じ向きの紙幣であると、紙幣向き変更部４４で当該紙幣の向きを変更する一方、後の紙幣が判定用紙幣と同一金種で向きが異なる紙幣である場合は、紙幣向き変更部４４で当該紙幣の向きを変更しない。よって、自動的かつ適正に、紙幣収納カセット３５（Ａ）〜３５（Ｄ）に収納する紙幣の向きを、最上部の紙幣Ｓ１の傾斜を抑制するように変更でき、紙幣収納カセット３５（Ａ）〜３５（Ｄ）での繰り出し不良の発生を抑制することができる。
【０１２７】
また、入出金部２１から、紙幣向き変更部４４で向きを変えて紙幣収納カセット３５（Ｅ）に収納された紙幣を、補充返却処理において、紙幣向き変更部４４で表裏の向きを揃えて入出金部２１に繰り出すことができる。加えて、紙幣収納カセット３５（Ｅ）に収納後、紙幣収納カセット３５（Ａ）〜３５（Ｄ）に収納された紙幣を、バラ紙幣出金処理において、紙幣向き変更部４４で表裏の向きを揃えて入出金部２１に繰り出すことができる。
【０１２８】
また、入出金部２１から紙幣向き変更部４４で向きを変えて紙幣収納カセット３５（Ｅ）に収納された紙幣、その後、紙幣収納カセット３５（Ｅ）から紙幣収納カセット３５（Ａ）〜３５（Ｄ）に収納された紙幣、および、紙幣収納カセット３５（Ｅ）から紙幣向き変更部４４で向きを変えて紙幣収納カセット３５（Ａ）〜３５（Ｄ）に収納された紙幣に対し、同じ紙幣向き変更部４４が、表裏の向きを揃えて入出金部２１に繰り出す。すなわち、紙幣向き変更部４４が、入金時紙幣向き変更部と出金時向き変更部とを兼用しているため、部品点数およびコストを抑制することができる。
【０１２９】
ここで、第３実施形態においても、制御部１６は、識別部２８が、同一金種で表裏および紙幣上下が同じ向きで記番号が連続する所定枚数の判定用紙幣を検出すると、入出金繰出部２４から同一金種の新券紙幣が表裏および紙幣上下が同じ向きで所定枚数連続して繰り出されたと判定して、識別部２８が識別する判定用紙幣の後の紙幣が判定用紙幣と同一金種で表裏および紙幣上下が同じ向きの紙幣であると、紙幣向き変更部４４で当該紙幣の向きを変更する一方、識別部２８が識別する判定用紙幣の後の紙幣が判定用紙幣と同一金種で向きが異なる紙幣である場合は、紙幣向き変更部４４で当該紙幣の向きを変更しないように制御しても良い。
【０１３０】
このように構成すれば、官封券の帯封を解いた新券において可能性が高い連続する記番号の検出で、向きが一定の新券であることを判定するため、入出金部補充モードでの入出金繰出部２４、および、カセット補充モードでの紙幣収納カセット３５（Ｅ）から同一金種の新券紙幣が表裏および紙幣上下が同じ向きで所定枚数連続して繰り出されたことを、より正確に判定することができる。
【０１３１】
第３実施形態において、第２実施形態と同様に、入出金部新券補充モードを選択可能としても良い。この場合、入出金部新券補充モードでは、官封券の帯封を解いた新券を全て表裏および紙幣上下を揃えた状態で入出金部２１に装填するように操作表示部１５で案内する。
【０１３２】
操作表示部１５で、モードの選択設定が行われ、入出金部新券補充モードが選択された状態となって金種が指定されると、制御部１６は、指定された金種がＡタイプ金種である場合、補充入金処理中に、繰出検知センサ２５の検知結果に基づいて、入出金部２１の入出金繰出部２４から所定枚数である１００枚の紙幣が繰り出されるまで、入出金部２１から紙幣収納カセット３５（Ｅ）に紙幣向き変更部４４で表裏反転させることなく紙幣を収納する。繰出検知センサ２５の検知結果に基づいて、入出金繰出部２４から所定枚数である１００枚の紙幣が繰り出されたことを検知すると、同一金種の新券紙幣が表裏および紙幣上下が同じ向きで所定枚数連続して繰り出されたと判定して、引き続き、１０１枚目から２００枚目までの紙幣を、すべて紙幣向き変更部４４で表裏反転させて、紙幣収納カセット３５（Ｅ）に収納し、さらに続けて、２０１枚目から３００枚目までの紙幣を、すべて紙幣向き変更部４４で表裏反転させずに紙幣収納カセット３５（Ｅ）に収納するという、最上面の紙幣Ｓ１の傾斜を抑制する傾斜抑制制御を適宜行う。
【０１３３】
このように構成すれば、制御部１６は、操作表示部１５によって入出金部新券補充モードが設定された状態で、繰出検知センサ２５が所定枚数の判定用紙幣を検出すると、入出金繰出部２４から同一金種の新券紙幣が表裏および紙幣上下が同じ向きで所定枚数連続して繰り出されたと判定し、繰出検知センサ２５が計数する判定用紙幣の後の紙幣の向きを紙幣向き変更部４４で変更する。よって、操作者の選択設定に基づいて、自動的に、紙幣収納カセット３５（Ｅ）に収納し、その後、紙幣収納カセット３５（Ｅ）から紙幣収納カセット３５（Ａ）〜３５（Ｄ）に収納する紙幣の向きを、最上部の紙幣Ｓ１の傾斜を抑制するように変更でき、繰り出し不良の発生を抑制することができる。
【０１３４】
第３実施形態においては、紙幣向き変更部４４が、紙幣左右の向きはそのままで、表裏および紙幣上下を反転するものを例にとり説明したが、紙幣向き変更部４４として、捻り搬送部を有して紙幣の表裏、紙幣上下および紙幣左右の４方向を揃えるものを用いれば、Ａタイプ金種は勿論、Ｂタイプ金種の紙幣についても、入出金部補充モードにおいて、入出金部２１から所定枚数の判定用紙幣を繰り出した後に、入出金繰出部２４を一旦停止させることなく、所定枚数の後の紙幣を連続して送り出させ、この所定枚数の後の紙幣の向きを、紙幣収納カセット３５（Ｅ）への収納時に最上面の紙幣Ｓ１の傾斜を抑制するように、例えば、その表裏状態を変えることなく、左右を入れ替えて、これらを紙幣収納カセット３５（Ｅ）に収納し、その後、紙幣収納カセット３５（Ｅ）から紙幣収納カセット３５（Ａ）〜３５（Ｄ）に収納することができる。このように、捻り搬送部を加えた紙幣向き変更部４４を用いることよって紙幣の４方向を変更制御することができる。
【０１３５】
同様に、カセット補充モードにおいても、紙幣収納カセット３５（Ｅ）から所定枚数の判定用紙幣を繰り出した後に、繰出部３６を一旦停止させることなく、所定枚数の後の紙幣を連続して送り出させ、この所定枚数の後の紙幣の向きを、紙幣収納カセット３５（Ａ）〜３５（Ｄ）への収納時に最上面の紙幣Ｓ１の傾斜を抑制するように、例えば、その表裏状態を変えることなく、左右を入れ替えて、これらを紙幣収納カセット３５（Ａ）〜３５（Ｄ）に収納することができる。
【０１３６】
第１〜第３実施形態においては、入出金繰出部２４が入出金部２１から繰り出す紙幣を繰出検知センサ２５で計数する場合を例にとり説明したが、識別部２８を入出金繰出部２４の近くに配置すれば、入出金部２１から入出金繰出部２４が繰り出す紙幣を識別部２８で計数することも可能である。
【０１３７】
実施形態の第１の態様は、機外から紙幣が投入される入金部と、該入金部から紙幣を繰り出す繰出部と、該繰出部で繰り出された紙幣を搬送する搬送部と、該搬送部によって搬送される紙幣を識別する識別部と、該識別部によって識別された紙幣を繰り出し可能に収納する繰出収納部と、前記繰出部から同一金種の新券紙幣が表裏および紙幣上下が同じ向きで所定枚数連続して繰り出されたか否かを判定し、該判定の結果に基づいて前記繰出部の停止を制御する制御手段と、を備えることを特徴とする。
【０１３８】
上記第１の態様によれば、制御手段は、繰出部から同一金種の新券紙幣が表裏および紙幣上下が同じ向きで所定枚数連続して繰り出されたか否かを判定し、該判定の結果に基づいて繰出部の停止を制御するため、繰出部を停止させることで入金部の残りの紙幣の向きの変更が可能となり、繰り出し不良の発生を抑制することが可能となる。
【０１３９】
実施形態の第２の態様は、上記第１の態様において、報知を行う報知手段を備え、前記制御手段は、前記識別部が、同一金種で表裏および紙幣上下が同じ向きの所定枚数連続する紙幣群を検出すると、前記繰出部から同一金種の新券紙幣が表裏および紙幣上下が同じ向きで所定枚数連続して繰り出されたと判定して、前記繰出部を停止させるとともに、前記入金部の紙幣の向きの確認または変更を促す報知を前記報知手段に行わせることを特徴とする。
【０１４０】
上記第２の態様によれば、制御手段は、識別部が、同一金種で表裏および紙幣上下が同じ向きの所定枚数連続する紙幣群を検出すると、繰出部から同一金種の新券紙幣が表裏および紙幣上下が同じ向きで所定枚数連続して繰り出されたと判定して、繰出部を停止させるとともに、入金部の紙幣の向きの確認または変更を促す報知を報知手段に行わせる。よって、複雑な制御を要することなく、繰り出し不良の発生を抑制することが可能となる。
【０１４１】
実施形態の第３の態様は、上記第２の態様において、前記繰出部で繰り出す紙幣を計数する計数部を備え、前記制御手段は、前記識別部が、同一金種で表裏および紙幣上下が同じ向きの第１の所定枚数連続する紙幣群を検出すると、前記繰出部から同一金種の新券紙幣が表裏および紙幣上下が同じ向きで第１の所定枚数連続して繰り出されたと判定し、前記計数部が第２の所定枚数の紙幣を計数すると、前記繰出部を停止させることを特徴とする。
【０１４２】
上記第３の態様によれば、制御手段は、識別部が、同一金種で表裏および紙幣上下が同じ向きの第１の所定枚数連続する紙幣群を検出すると、繰出部から同一金種の新券紙幣が表裏および紙幣上下が同じ向きで所定枚数連続して繰り出されたと判定することになり、計数部が第２の所定枚数の紙幣を計数すると、繰出部を停止させる。これにより、繰出部の繰り出し停止までの繰り出し枚数をより正確に制御できる。
【０１４３】
実施形態の第４の態様は、上記第１の態様において、報知を行う報知手段を備え、前記制御手段は、前記識別部が、同一金種で表裏および紙幣上下が同じ向きで記番号が連続する所定枚数の紙幣群を検出すると、前記繰出部から同一金種の新券紙幣が表裏および紙幣上下が同じ向きで所定枚数連続して繰り出された判定して、前記繰出部を停止させるとともに、前記入金部の紙幣の向きの確認または変更を促す報知を前記報知手段に行わせることを特徴とする。
【０１４４】
上記第４の態様によれば、制御手段は、識別部が、同一金種で表裏および紙幣上下が同じ向きで記番号が連続する所定枚数の紙幣群を検出すると、繰出部から同一金種の新券紙幣が表裏および紙幣上下が同じ向きで所定枚数連続して繰り出されたと判定して、繰出部を停止させるとともに、入金部の紙幣の向きの確認または変更を促す報知を報知手段に行わせる。よって、繰出部から同一金種の新券紙幣が表裏および紙幣上下が同じ向きで所定枚数連続して繰り出されたことを、より正確に判定することができる。
【０１４５】
実施形態の第５の態様は、上記第１の態様において、前記繰出部で繰り出す紙幣を計数する計数部と、報知を行う報知手段と、モードの選択設定が行われるモード選択設定手段と、を備え、前記制御手段は、前記モード選択設定手段によって新券補充モードが設定された状態で、前記計数部が所定枚数の紙幣群を検出すると、前記繰出部から同一金種の新券紙幣が表裏および紙幣上下が同じ向きで所定枚数連続して繰り出されたと判定して、前記繰出部を停止させるとともに、前記入金部の紙幣の向きの確認または変更を促す報知を前記報知手段に行わせることを特徴とする。
【０１４６】
上記第５の態様によれば、制御手段は、モード選択設定手段によって新券補充モードが設定された状態で、計数部が所定枚数の紙幣群を検出すると、繰出部から同一金種の新券紙幣が表裏および紙幣上下が同じ向きで所定枚数連続して繰り出されたと判定して、繰出部を停止させるとともに、入金部の紙幣の向きの確認または変更を促す報知を報知手段に行わせる。よって、操作者の選択設定に基づいて、繰出部から同一金種の新券紙幣が表裏および紙幣上下が同じ向きで所定枚数連続して繰り出されたことを判定することができる。
【０１４７】
実施形態の第６の態様は、上記第１の態様において、報知を行う報知手段と、モードの選択設定が行われるモード選択設定手段と、を備え、前記制御手段は、前記モード選択設定手段によって新券補充モードが設定された状態で、前記識別部が、同一金種で表裏および紙幣上下が同じ向きの所定枚数連続する紙幣群を検出すると、前記繰出部から同一金種の新券紙幣が表裏および紙幣上下が同じ向きで所定枚数連続して繰り出されたと判定し、前記識別部が識別する前記紙幣群の後の紙幣が前記紙幣群と同一金種で表裏および紙幣上下が同じ向きの紙幣であると、前記繰出部を停止させて、前記入金部の紙幣の向きの確認または変更を促す報知を前記報知手段に行わせる一方、前記後の紙幣が前記紙幣群と同一金種で向きが異なる紙幣である場合は、前記繰出部による紙幣の繰り出しを継続させることを特徴とする。
【０１４８】
上記第６の態様によれば、制御手段は、モード選択設定手段によって新券補充モードが設定された状態で、識別部が、同一金種で表裏および紙幣上下が同じ向きの所定枚数連続する紙幣群を検出すると、繰出部から同一金種の新券紙幣が表裏および紙幣上下が同じ向きで所定枚数連続して繰り出されたと判定することになり、識別部が識別する紙幣群の後の紙幣が紙幣群と同一金種で向きが異なる紙幣である場合は、繰出部による紙幣の繰り出しを継続させる。よって、不要に繰出部を停止させて報知を行ってしまうことを抑制できる。
【０１４９】
実施形態の第７の態様は、上記第１乃至第６のいずれか一態様において、前記繰出収納部から出金部に繰り出される紙幣の向きを変更可能な出金時向き変更部が設けられていることを特徴とする。
【０１５０】
上記第７の態様によれば、向きを変えて繰出収納部に収納された紙幣を、出金時向き変更部で向きを揃えて出金部に繰り出すことができる。
【符号の説明】
【０１５１】
１１  紙幣処理機
１５  操作表示部（報知手段，モード選択設定手段）
１６  制御部（制御手段）
２１  入出金部（入金部，出金部）
２４  入出金繰出部（繰出部）
２５  繰出検知センサ（計数部）
２８  識別部
３５  紙幣収納カセット（繰出収納部）
４１  搬送部
４４  紙幣向き変更部（出金時向き変更部）
【図１】
2020181610.tif 000003
【図２】
2020181610.tif 000004
【図３】
2020181610.tif 000005
【図４】
2020181610.tif 000006
【図５】
2020181610.tif 000007
【図６】
2020181610.tif 000008
【図７】
2020181610.tif 000009
【図８】
2020181610.tif 000010
【図９】
2020181610.tif 000011
【図１０】
2020181610.tif 000012
【図１１】
2020181610.tif 000013
【図１２】
2020181610.tif 000014